(57)【要約】  ブロードキャストマルチキャスト情報を受信する端末の異周波数／異システムの測定方法を開示して、受信したブロードキャストマルチキャスト情報に対する復調性能要求の満足を確保することを根拠として、異周波数／異システムセルに対して異周波数／異システム測定を実行する。相応に、本発明はブロードキャストマルチキャスト情報を受信する端末の測定性能要求の決定方法をさらに開示して、受信したブロードキャストマルチキャスト情報に対する復調性能要求の満足を確保することを根拠として、測定性能要求を決定する。本発明ではブロードキャストマルチキャスト情報の復調性能を保証する上で、異周波数／異システムセルに対して測定を完成し、且つ測定性能要求を確保することができる。
2008539616.tif 000002
【特許請求の範囲】
【請求項１】
ブロードキャストマルチキャスト情報を受信する端末の異周波数／異システムの測定方法であって、受信したブロードキャストマルチキャスト情報に対する復調性能要求の満足を確保することを根拠として、
異周波数／異システムセルに対して異周波数／異システム測定を実行することを特徴とする方法。
【請求項２】
前記ユーザ端末が異周波数／異システム測定時間の中で、ブロードキャストマルチキャスト情報を受信するために一部分の時間を予約し、
ユーザ端末が、予約した異周波数／異システム測定時間に、ブロードキャストマルチキャスト情報を受信し、且つ、
ほかの異周波数／異システム測定時間に、異周波数／異システムセルに対して異周波数／異システム測定を実行することを特徴とする請求項１に記載の方法。
【請求項３】
前記ユーザ端末がＴＤＤ端末であることを特徴とする請求項２に記載の方法。
【請求項４】
前記異周波数／異システム測定時間が、
ＴＤＤ端末のアイドル時間、及び／又は
ＴＤＤ端末がＣＥＬＬ＿ＦＡＣＨ状態で、下記のような式により決定された測定時間を含み、
ＳＦＮ＝（Ｃ＿ＲＮＴＩ  ｍｏｄ  Ｍ＿ＲＥＰ  ＋  ｎ×Ｍ＿ＲＥＰ）×Ｎ
ここで、前記ＴＤＤ端末は上記の式を満たすＳＦＮのフレームで異周波数／異システム測定を実行し、
Ｎは、ＴＤＤ端末がモニターした、非マルチメディアブロードキャストマルチキャストサービス論理チャネルを搭載するＳＣＣＰＣＨで最大ＴＴＩを有するフォワードアクセスチャネルの伝送時間間隔を１０ｍで割ったものであり、
Ｍ＿ＲＥＰは測定間隔循環周期であり、
Ｍ＿ＲＥＰ  ＝  ２ｋ、一つのＮフレームの測定時間の繰り返す周期はＮ×Ｍ＿ＲＥＰフレームであり、
ここで、ｋはフォワードアクセスチャネル測定間隔循環周期の係数であり、
システム情報１１又は１２に含まれたフォワードアクセスチャネル測定時刻情報で読取られ、
Ｃ＿ＲＮＴＩはＴＤＤ端末の無線ネットワーク臨時標識値であり、
ｎ  ＝  ０，１，２…，ＳＦＮがその最大値より低ければいいことを特徴とする請求項３に記載の方法。
【請求項５】
前記ユーザ端末がＦＤＤ端末であることを特徴とする請求項２に記載の方法。
【請求項６】
前記異周波数／異システム測定時間が、ＦＤＤ端末がＣＥＬＬ＿ＦＡＣＨ状態で、下記のような式により決定された測定時間であり、
ＳＦＮ＝（Ｃ＿ＲＮＴＩ  ｍｏｄ  Ｍ＿ＲＥＰ  ＋  ｎ×Ｍ＿ＲＥＰ）×Ｎ
ここで、前記ＦＤＤ端末は上記の式を満たすＳＦＮのフレームで異周波数／異システム測定を実行し、
Ｎは、ＦＤＤ端末がモニターした、非マルチメディアブロードキャストマルチキャストサービス論理チャネルを搭載するＳＣＣＰＣＨで最大ＴＴＩを有するフォワードアクセスチャネルの伝送時間間隔を１０ｍで割ったものであり、
Ｍ＿ＲＥＰは測定間隔循環周期であり、
Ｍ＿ＲＥＰ  ＝  ２ｋ、一つのＮフレームの測定時間の繰り返す周期はＮ×Ｍ＿ＲＥＰフレームであり、ここで、ｋはフォワードアクセスチャネル測定間隔循環周期の係数であり、
システム情報１１又は１２に含まれたフォワードアクセスチャネル測定時刻情報で読取られ、
Ｃ＿ＲＮＴＩはＦＤＤ端末の無線ネットワーク臨時標識値であり、
ｎ  ＝  ０，１，２…，ＳＦＮがその最大値より低ければいいことを特徴とする請求項５に記載の方法。
【請求項７】
前記ブロードキャストマルチキャスト情報が、
マルチメディアブロードキャストマルチキャストポイントツーマルチポイントサービス情報、及び／又は
マルチメディアブロードキャストマルチキャストポイントツーマルチポイント制御情報であることを特徴とする請求項１〜６のいずれか１項に記載の方法。
【請求項８】
ブロードキャストマルチキャスト情報を受信する端末の測定性能要求の決定方法であって、
受信したブロードキャストマルチキャスト情報に対する復調性能要求の満足を確保する測定性能要求を決定することを特徴とする方法。
【請求項９】
前記測定性能要求が、
ユーザ端末が新しいセルを識別する識別時間、及び／又は
ユーザ端末の物理層がセル測定処理を実行した測定結果を上位層に報告する報告時間要求を含むことを特徴とする請求項８に記載の方法。
【請求項１０】
前記識別時間が、受信したブロードキャストマルチキャスト情報に対する復調性能要求を満足できる測定時間に基づいて決定されることを特徴とする請求項９に記載の方法。
【請求項１１】
前記識別時間が、受信したブロードキャストマルチキャスト情報に対する復調性能要求を満足できる測定時間に受信できる目標セルブロードキャスト信号及び／又はパイロット信号があるフレーム又はサブフレームの数に基づいて決定されることを特徴とする請求項９に記載の方法。
【請求項１２】
前記識別時間が、受信したブロードキャストマルチキャスト情報に対する復調性能要求を満足できる測定時間から受信機変換時間を引いたことに基づいて決定されることを特徴とする請求項９に記載の方法。
【請求項１３】
前記識別時間が、受信したブロードキャストマルチキャスト情報に対する復調性能要求を満足できる測定時間から受信機変換時間を引いた時間に受信できる目標セルブロードキャスト信号及び／又はパイロット信号があるフレーム又はサブフレームの数に基づいて決定されることを特徴とする請求項９に記載の方法。
【請求項１４】
前記報告時間が、受信したブロードキャストマルチキャスト情報に対する復調性能要求を満足できる測定時間に基づいて決定されることを特徴とする請求項９に記載の方法。
【請求項１５】
前記報告時間が、受信したブロードキャストマルチキャスト情報に対する復調性能要求を満足できる測定時間に受信できる目標セルブロードキャスト信号及び／又はパイロット信号があるフレーム又はサブフレームの数に基づいて決定されることを特徴とする請求項９に記載の方法。
【請求項１６】
前記報告時間が、受信したブロードキャストマルチキャスト情報に対する復調性能要求を満足できる測定時間から受信機変換時間を引いた時間に基づいて決定されることを特徴とする請求項９に記載の方法。
【請求項１７】
前記報告時間が、受信したブロードキャストマルチキャスト情報に対する復調性能要求を満足できる測定時間から受信機変換時間を引いた時間に受信できる目標セルブロードキャスト信号及び／又はパイロット信号があるフレーム又はサブフレームの数に基づいて決定されることを特徴とする請求項９に記載の方法。
【請求項１８】
前記ユーザ端末がＦＤＤ端末であり、前記新しいセルが当該ＦＤＤ端末の異周波数セルであり、且つＦＤＤ端末により決定された識別時間は、次式によって決定され、
【数１】
2008539616.tif 000060
ここで、Ｔｉｄｅｎｔｉｆｙ，ｉｎｔｅｒはＦＤＤ端末が異周波数セルを識別する識別時間であり、
Ｔｂａｓｉｃ＿ｉｄｅｎｔｉｆｙ＿ＦＤＤ，ｉｎｔｅｒはＦＤＤ端末が異周波数セルを識別する最大許可時間であり、
ＮＦｒｅｑ，ＦＤＤはアクセスネットワークに送信されたシステム測定制御情報での異周波数セル情報リストに含まれたＦＤＤ周波数の数であり、
【数２】
2008539616.tif 000061
ここで、ＮＴＴＩは、ＦＤＤ端末がモニターした、非ＭＢＭＳ論理チャネルを搭載するＳＣＣＰＣＨで最大伝送時間間隔ＴＴＩを有するＦＡＣＨのＴＴＩを１０ｍで割ったもの等しく、
Ｍ＿ＲＥＰは測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、受信したＭＢＭＳに対する復調性能を保証する場合で、ＦＤＤ端末により決定された使用できる異周波数測定時間であり、受信機変換の時間を考慮すると、ＴＩｎｔｅｒは、受信したＭＢＭＳサービスに対する復調性能要求の保証を前提として、ＦＤＤ端末により決定された使用できる異周波数測定時間から受信機変換時間を引いたものであることを特徴とする請求項９に記載の方法。
【請求項１９】
前記ユーザ端末がＦＤＤ端末であり、前記新しいセルが当該ＦＤＤ端末の異周波数セルであり、且つＦＤＤ端末により決定された報告時間は、次式によって計算され、即ち、報告時間は、
【数３】
2008539616.tif 000062
ＮＦｒｅｑ，ＦＤＤはアクセスネットワークに送信されたシステム測定制御情報での異周波数セル情報リストに含まれたＦＤＤ周波数の数であり、
【数４】
2008539616.tif 000063
ここで、ＮＴＴＩは、ＦＤＤ端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰは測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、受信したＭＢＭＳに対する復調性能を保証する場合で、ＴＤＤ端末により決定された使用できる異周波数測定時間であり、又は受信したＭＢＭＳサービスに対する復調性能要求の満足を前提としてＴＤＤ端末により決定された使用できる異周波数測定時間から受信機変換時間を引いたものであることを特徴とする請求項９に記載の方法。
【請求項２０】
前記端末がＦＤＤ端末であり、前記新しいセルが異システムＷＣＤＭＡ  ＴＤＤセルであり、且つＦＤＤ端末により決定された識別時間は、下記の式によって決定され、即ち、識別時間は、
【数５】
2008539616.tif 000064
Ｔｂａｓｉｃ＿ｉｄｅｎｔｉｆｙ＿ＴＤＤ，ｉｎｔｅｒはＦＤＤ端末が異システムＷＣＤＭＡ  ＴＤＤセルを識別する最大許可時間であり、
ＮＦｒｅｑ，ＴＤＤはアクセスネットワークに送信されたシステム測定制御情報での異周波数セル情報リストに含まれたＴＤＤ周波数の数であり、
【数６】
2008539616.tif 000065
ここで、ＮＴＴＩは、ＦＤＤ端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰは測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、端末が受信したＭＢＭＳに対する復調性能を保証しているとき、決定された使用できる異システム測定時間であり、又は端末が受信したＭＢＭＳサービスに対する復調性能要求を保証しているとき、決定された使用できる異システム測定時間から受信機変換時間を引いたものであることを特徴とする請求項９に記載の方法。
【請求項２１】
前記端末がＦＤＤ端末であり、前記セルが異システムＷＣＤＭＡ  ＴＤＤセルであり、且つＦＤＤ端末により決定された報告時間は、次式によって決定され、即ち、報告時間は、
【数７】
2008539616.tif 000066
上記の式において、Ｔｂａｓｉｃ＿ｍｅａｓｕｒｅｍｅｎｔ＿ＴＤＤ，ｉｎｔｅｒ＝  ５０  ｍｓ、
ＴＭｅａｓｕｒｅｍｅｎｔ＿Ｐｅｒｉｏｄ＿ＴＤＤ，ｉｎｔｅｒ  ＝  ４８０  ｍｓ、
【数８】
2008539616.tif 000067
ここで、ＮＴＴＩは、ＦＤＤ端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＮＦｒｅｑ，ＴＤＤはＵＴＲＡＮに送信されたシステム測定制御情報での異周波数セル情報リストに含まれたＴＤＤ周波数の数であり、
ＴＩｎｔｅｒは、ＦＤＤ端末が受信したＭＢＭＳに対する復調性能を保証しているとき、決定された使用できる異システム測定時間であり、又はＦＤＤ端末が受信したＭＢＭＳサービスに対する復調性能要求の満足を前提として、決定された使用できる異システム測定時間から受信機変換時間を引いたものであることを特徴とする請求項９に記載の方法。
【請求項２２】
前記ユーザ端末がＦＤＤ端末であり、前記新しいセルが当該ＦＤＤ端末の同周波数セルであり、且つＦＤＤ端末により決定された識別時間は、次式によって決定され、即ち、識別時間は、
【数９】
2008539616.tif 000068
上記の式において、
【数１０】
2008539616.tif 000069
ＮＴＴＩは、ＦＤＤ端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
Ｔintγαは、ＦＤＤ端末が受信したＭＢＭＳサービスに対する復調性能要求の満足を前提として、決定された使用できる同周波数測定時間であり、又はＦＤＤ端末が受信したＭＢＭＳサービスに対する復調性能要求の満足を前提として、決定された使用できる同周波数測定時間から受信機変換時間を引いたものであることを特徴とする請求項９に記載の方法。
【請求項２３】
前記測定性能要求が報告セルの数を更に含み、前記端末がＦＤＤ端末であり、前記セルが当該ＦＤＤ端末の同周波数セルであり、且つＦＤＤ端末により決定された報告時間は２００ｍｓであり、前記報告セルの数は、次式によって計算され、即ち、報告時間は、
【数１１】
2008539616.tif 000070
ここで、Ｘｂａｓｉｃ ｍｅａｓｕｒｅｍｅｎｔ ＦＤＤ＝  ８、
ＴＭｅａｓｕｍｅｎｔ_ＰｅｒｉｏｄＩｎｔｒａが同周波数測定周期であり、
Ｔｉｎ＝ＮＴＴＩ×１０は、受信したＭＢＭＳサービスに対する復調性能を保証しているとき、決定された使用できる異周波数／異システム測定時間であり、又は受信したＭＢＭＳサービスに対する復調性能を保証しているとき、決定された使用できる異周波数／異システム測定時間から受信機変換時間を引いたものであることを特徴とする請求項９に記載の方法。
【請求項２４】
前記端末が３．８４Ｍｃｐｓ  ＴＤＤ端末であり、前記新しいセルが当該    ＴＤＤ端末の異周波数ＴＤＤセルであり、且つ端末により決定された識別時間は、次式によって決定され、即ち、
【数１２】
2008539616.tif 000071
ここで、Ｔｂａｓｉｃ＿ｉｄｅｎｔｉｆｙ＿ＴＤＤ，ｉｎｔｅｒはＴＤＤ端末が異周波数セルを識別する最大許可時間であり、
ＮＦｒｅｑ，ＴＤＤはアクセスネットワークに送信されたシステム測定制御情報での異周波数セル情報リストに含まれたＴＤＤ周波数の数であり、
【数１３】
2008539616.tif 000072
ここで、ＮＴＴＩは、端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、受信したＭＢＭＳサービスに対する復調性能要求の満足を前提として、ＴＤＤ端末により決定された使用できる異周波数測定時間であり、又は受信したＭＢＭＳサービスに対する復調性能要求の満足を前提として、ＴＤＤ端末により決定された使用できる異周波数測定時間から受信機変換時間を引いたものであることを特徴とする請求項９に記載の方法。
【請求項２５】
前記端末が１．２８Ｍｃｐｓ  ＴＤＤ端末であり、前記新しいセルが当該    ＴＤＤ端末の異周波数セルであり、且つ端末により決定された識別時間は、次式によって決定され、即ち、
【数１４】
2008539616.tif 000073
ここで、Ｔｂａｓｉｃ＿ｉｄｅｎｔｉｆｙ＿ＴＤＤ，ｉｎｔｅｒはＴＤＤ端末が異周波数セルを識別する最大許可時間であり、
ＴＭｅａｓｕｒｅｍｅｎｔ＿Ｐｅｒｉｏｄ  Ｉｎｔｅｒ＝４８０ｍｓ、
ＮＦｒｅｑはＵＴＲＡＮによって指示されたシステム測定制御情報での異周波数セル情報リストに含まれたＴＤＤ周波数の数であり、
ＮＩｎｔｅｒは、受信したＭＢＭＳサービスに対する復調性能要求の満足を前提として、ＴＤＤ端末により決定された使用できる異周波数測定時間に受信できる目標異周波数ＴＤＤセルのＰＣＣＰＣＨとＤｗＰＣＨの信号があるサブフレーム数であり、又は、受信したＭＢＭＳサービスに対する復調性能要求の満足を前提として、ＴＤＤ端末により決定された使用できる異周波数測定時間から受信機変換時間を引いた時間に受信できる目標異周波数ＴＤＤセルのＰＣＣＰＣＨとＤｗＰＣＨの信号があるサブフレーム数であることを特徴とする請求項９に記載の方法。
【請求項２６】
前記端末が３．８４Ｍｃｐｓ  ＴＤＤ端末であり、前記セルが当該ＴＤＤ端末の異周波数セルであり、且つ端末により決定された報告時間は、次式によって計算され、即ち、報告時間は、
【数１５】
2008539616.tif 000074
ここで、Ｔｂａｓｉｃ  ｍｅａｓｕｒｅｍｅｎｔ  ＴＤＤ，ｉｎｔｅｒ＝５０ｍｓ、
ＴＭｅａｓｕｒｅｍｅｎｔ  Ｐｅｒｉｏｄ  ＴＤＤ  Ｉｎｔｅｒ＝４８０ｍｓ、
ＮＦｒｅｑはＵＴＲＡＮによって指示されたシステム測定制御情報での異周波数セル情報リストに含まれたＴＤＤ周波数の数であり、
【数１６】
2008539616.tif 000075
ここで、ＮＴＴＩは、端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、受信したＭＢＭＳサービスに対する復調性能要求の満足を前提として、ＴＤＤ端末により決定された使用できる異周波数測定時間であり、又は、受信したＭＢＭＳサービスに対する復調性能要求の満足を前提として、ＴＤＤ端末により決定された使用できる異周波数測定時間から受信機変換時間を引いたものであることを特徴とする請求項９に記載の方法。
【請求項２７】
前記端末が１．２８Ｍｃｐｓ  ＴＤＤ端末であり、前記セルが当該ＴＤＤ端末の異周波数セルであり、且つ端末により決定された報告時間は、次式によって計算され、即ち、報告時間は、
【数１７】
2008539616.tif 000076
ここで、ＴＭｅａｓｕｒｅｍｅｎｔ＿Ｐｅｒｉｏｄ  Ｉｎｔｅｒ＝４８０ｍｓ、
Ｔｂａｓｉｃ＿ｍｅａｓｕｒｅｍｅｎｔ＿ＴＤＤ  ｉｎｔｅｒ＝５０ｍｓ、
ＮＦｒｅｑはＵＴＲＡＮによって指示されたシステム測定制御情報での異周波数セル情報リストに含まれたＴＤＤ周波数の数であり、
ＮＩｎｔｅｒは、受信したＭＢＭＳサービスに対する復調性能要求の満足を前提として、ＴＤＤ端末により決定された使用できる異周波数測定時間に受信できる目標異周波数ＴＤＤセルのＰＣＣＰＣＨとＤｗＰＣＨの信号があるサブフレーム数であり、又は、受信したＭＢＭＳサービスに対する復調性能要求の満足を前提として、ＴＤＤ端末により決定された使用できる異周波数測定時間から受信機変換時間を引いた時間に受信できる目標異周波数ＴＤＤセルのＰＣＣＰＣＨとＤｗＰＣＨの信号があるサブフレーム数であることを特徴とする請求項９に記載の方法。
【請求項２８】
前記端末が３．８４Ｍｃｐｓ  ＴＤＤ端末であり、前記新しいセル葉がＷＣＤＭＡ  ＦＤＤセルであり、且つ端末により決定された識別時間は、次式によって決定され、即ち、識別時間は、
【数１８】
2008539616.tif 000077
上記の式において、Ｔｂａｓｉｃ＿ｉｄｅｎｔｉｆｙ＿ＦＤＤ，ｉｎｔｅｒ＝８００ｍｓはＴＤＤ端末が新しいＷＣＤＭＡ  ＦＤＤセルを識別するのに必要な許可時間であり、
【数１９】
2008539616.tif 000078
ここで、ＮＴＴＩは、端末がモニターした、非ＭＢＭＳ論理チャネルを搭載するＳＣＣＰＣＨで、最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＮＦｒｅｑ，ＦＤＤはＵＴＲＡＮによって指示されたシステム測定制御情報での異周波数セル情報リストに含まれたＦＤＤ周波数の数であり、
ＴＩｎｔｅｒは、受信したＭＢＭＳサービスに対する復調性能要求の満足を前提として、ＴＤＤ端末により決定された使用できる異周波数測定時間であり、又は、受信したＭＢＭＳサービスに対する復調性能要求の満足を前提として、ＴＤＤ端末により決定された使用できる異周波数測定時間から受信機変換時間を引いたものであることを特徴とする請求項９に記載の方法。
【請求項２９】
前記端末が１．２８Ｍｃｐｓ  ＴＤＤ端末であり、前記新しいセルがＷＣＤＭＡ  ＦＤＤセルであり、且つ端末により決定された識別時間は、次式によって決定され、即ち、識別時間は、
【数２０】
2008539616.tif 000079
Ｔｂａｓｉｃ＿ｉｄｅｎｔｉｆｙ＿ＦＤＤ，ｉｎｔｅｒ  ＝  ８００  ｍｓは端末が新しいＦＤＤセルを識別するのに必要な許可時間であり、
ＴＭｅａｓｕｒｅｍｅｎｔ＿Ｐｅｒｉｏｄ  ＦＤＤ  ｉｎｔｅｒ  ＝  ４８０ｍｓ、
ＮＦｒｅｑ，はＵＴＲＡＮによって指示されたシステム測定制御情報での異周波数セル情報リストに含まれたＦＤＤ周波数の数であり、
ＴＩｎｔｅｒは、受信したＭＢＭＳサービスに対する復調性能要求の満足を前提として、ＴＤＤ端末により決定された使用できる異周波数測定時間であり、又は、受信したＭＢＭＳサービスに対する復調性能要求の満足を前提として、ＴＤＤ端末により決定された使用できる異周波数測定時間から受信機変換時間を引いたものであることを特徴とする請求項９に記載の方法。
【請求項３０】
前記端末が３．８４  Ｍｃｐｓ  ＴＤＤ端末であり、前記セルが異システムＷＣＤＭＡ  ＴＤＤセルであり、且つＴＤＤ端末により決定された報告時間は、次式によって計算され、即ち、報告時間は、
【数２１】
2008539616.tif 000080
ここで、Ｔｂａｓｉｃ＿ｍｅａｓｕｒｅｍｅｎｔ＿ＦＤＤ  ｉｎｔｅｒ＝  ５０ｍｓ、
ＴＭｅａｓｕｒｅｍｅｎｔ＿Ｐｅｒｉｏｄ  ＦＤＤ  ｉｎｔｅｒ  ＝  ４８０ｍｓ、
ＮＦｒｅｑ，ＴＤＤはアクセスネットワークに送信されたシステム測定制御情報での異周波数セル情報リストに含まれたＴＤＤ周波数の数であり、
【数２２】
2008539616.tif 000081
ここで、ＮＴＴＩは、端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、受信したＭＢＭＳサービスに対する復調性能要求の満足を前提として、ＴＤＤ端末により決定された使用できる異周波数測定時間であり、又は受信したＭＢＭＳサービスに対する復調性能要求の満足を前提として、ＴＤＤ端末により決定された使用できる異周波数測定時間から受信機変換時間を引いたものであることを特徴とする請求項９に記載の方法。
【請求項３１】
前記端末が１．２８  Ｍｃｐｓ  ＴＤＤ端末であり、前記セルが異システムＷＣＤＭＡ  ＴＤＤセルであり、且つＴＤＤ端末により決定された報告時間は、次式によって計算され、即ち、報告時間は、
【数２３】
2008539616.tif 000082
ここで、ＴＭｅａｓｕｒｅｍｅｎｔ＿Ｐｅｒｉｏｄ  ＦＤＤ  ｉｎｔｅｒ  ＝  ４８０ｍｓ、
Ｔｂａｓｉｃ＿ｍｅａｓｕｒｅｍｅｎｔ＿ＦＤＤ  ｉｎｔｅｒ＝５０ｍｓ、
ＮＦｒｅｑはＵＴＲＡＮによって指示されたシステム測定制御情報での異周波数セル情報リストに含まれたＴＤＤ周波数の数であり、
ＴＩｎｔｅｒは、受信したＭＢＭＳサービスに対する復調性能要求の満足を前提として、ＴＤＤ端末により決定された使用できる異周波数測定時間であり、又は受信したＭＢＭＳサービスに対する復調性能要求の満足を前提として、ＴＤＤ端末により決定された使用できる異周波数測定時間から受信機変換時間を引いたものであることを特徴とする請求項９に記載の方法。
【請求項３２】
前記端末がＴＤＤ端末であり、前記新しいセルが当該ＴＤＤ端末の同周波数セルであり、且つ端末により決定された識別時間は、次式によって決定され、
【数２４】
2008539616.tif 000083
ここで、Ｔｂａｓｉｃ  ｉｄｅｎｔｉｆｙ  ＴＤＤ，ｉｎｔｒａ  ＝  ８００ｍｓ、
Ｎｐｅｒｉｏｄ，ｉｎｔｒａ＝４０ｍｓ、
Ｎｉｎｔｒａは、受信したＭＢＭＳサービスに対する復調性能要求の満足を前提として、決定された使用できる同周波数測定時間で、受信できる目標異周波数ＴＤＤセルのＰＣＣＰＣＨとＤｗＰＣＨの信号があるサブフレーム数であることを特徴とする請求項９に記載の方法。
【請求項３３】
前記測定性能要求が報告セルの数を更に含み、前記端末がＴＤＤ端末であり、前記新しいセルが当該ＴＤＤ端末の同周波数セルであり、且つ端末により決定された報告時間は２００ｍｓであり、前記報告セルの数は次式によって計算され、
【数２５】
2008539616.tif 000084
ここで、Ｘｂａｓｉｃ ｍｅａｓｕｒｅｍｅｎｔ ＴＤＤ＝  ８、
Ｎｐｅｒｉｏｄ，ｉｎｔｒａ＝４０ｍｓ、
Ｎｉｎｔｒａは、受信したＭＢＭＳサービスに対する復調性能要求の満足を前提として、決定された使用できる同周波数測定時間で、受信できる目標異周波数ＴＤＤセルのＰＣＣＰＣＨとＤｗＰＣＨの信号があるサブフレーム数であることを特徴とする請求項９に記載の方法。
【請求項３４】
前記ユーザ端末が、受信したブロードキャストマルチキャスト情報に対する復調性能要求に満足できる測定時間に基づいて、異システムＧＳＭセルの測定性能要求を決定することを特徴とする請求項８に記載の方法。
【請求項３５】
前記ユーザ端末が、受信したブロードキャストマルチキャスト情報に対する復調性能要求に満足できる測定時間から受信機変換時間を引いた時間に基づいて、異システムＧＳＭセルの測定性能要求を決定することを特徴とする請求項８に記載の方法。
【請求項３６】
前記測定時間がＮＴＴＩ個フレームの一部分であり、最大はマルチメディアブロードキャストマルチキャストポイントツーマルチポイントサービスチャネル（ＭＴＣＨ）のＴＴＩ長さの２５％を超えず、ここで、ＮＴＴＩは、端末がモニターした、非ＭＢＭＳ論理チャネルを搭載するＳＣＣＰＣＨで最大ＴＴＩを有するＦＡＣＨのＴＴＩを１０ｍで割ったものに等しいことを特徴とする請求項１０、１２、１４、１６、１８〜２３のいずれか１項、３４又は３５に記載の方法。
【請求項３７】
前記受信機変換時間が受信機のハードウェア能力によって決定され、前記受信機変換時間の常用値が１ｍｓであることを特徴とする請求項１２、１３、１６、１７、又は１８〜３１のいずれか１項、又は３５に記載の方法。
【請求項３８】
前記ブロードキャストマルチキャスト情報が、
マルチメディアブロードキャストマルチキャストポイントツーマルチポイントサービス情報、及び／又は
マルチメディアブロードキャストマルチキャストポイントツーマルチポイント制御情報であることを特徴とする請求項８に記載の方法。
【発明の詳細な説明】
【技術分野】
【０００１】
本発明は第３世代移動通信システム（３Ｇ：Ｔｈｅ  ３ｒｄ  Ｇｅｎｅｒａｔｉｏｎ）における端末の異周波数／異システムの測定処理技術に関し、特にブロードキャストマルチキャスト情報を受信する端末の異周波数／異システムの測定方法及びその測定性能要求の決定方法に関する。
【背景技術】
【０００２】
汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）はＷＣＤＭＡエアインターフェース（ａｉｒ  ｉｎｔｅｒｆａｃｅ）技術を採用した第３世代移動通信システムであり、主にＷＣＤＭＡ／ＧＳＭグローバル標準化組織第３世代パートナーシップ・プロジェクト（３ＧＰＰ）で発展される。
【０００３】
３ＧＰＰ  ＵＭＴＳ標準において、無線リソースコントロール（ＲＲＣ：Ｒａｄｉｏ  Ｒｅｓｏｕｒｃｅ  Ｃｏｎｔｒｏｌ）の接続が確立されたかどうかによって、ユーザ端末をアイドル（Ｉｄｌｅ）モードとＲＲＣ接続（Ｃｏｎｎｅｃｔｅｄ）モードの２種類に分けられる。ここで、ＵＭＴＳ地上無線アクセスネットワーク（ＵＴＲＡＮ）とＲＲＣ接続を確立しなかったユーザ端末はＩｄｌｅモードにあり、当該モードでのユーザ端末は国際移動加入者識別子（ＩＭＳＩ：Ｉｎｔｅｒｎａｔｉｏｎａｌ  Ｍｏｂｉｌｅ  ｓｕｂｓｃｒｉｂｅｒ  ｉｄｅｎｔｉｔｙ）のような非アクセス階層（ＮＡＳ：Ｎｏｎ−Ａｃｃｅｓｓ  Ｓｔｒａｔｕｍ）識別子のみにより区分される。既にＵＴＲＡＮとＲＲＣ接続を確立したユーザ端末はＲＲＣ  Ｃｏｎｎｅｃｔｅｄモードにあり、当該モードでのユーザ端末は無線ネットワーク臨時識別子（ＲＮＴＩ：Ｒａｄｉｏ  ｎｅｔｗｏｒｋ  ｔｅｍｐｏｒａｒｙ  ｉｄｅｎｔｉｔｙ）を割り当てられて、当該ユーザ端末の共通伝送チャネルでの識別子とする。
【０００４】
ＲＲＣ  Ｃｏｎｎｅｃｔｅｄモードのユーザ端末に対して、またＲＲＣ接続とユーザ端末が使用できる伝送チャネルタイプによって、ユーザ端末を異なる状態に分けることができる。ここで、ＣＥＬＬ＿ＰＣＨ状態、ＣＥＬＬ＿ＦＡＣＨ状態とＣＥＬＬ＿ＤＣＨ状態でのユーザ端末はセルで区分されることができ、ＵＲＡ＿ＰＣＨ状態でのユーザ端末はＵＴＲＡＮレジスタエリア（ＵＲＡ：ＵＴＲＡＮ  Ｒｅｇｉｓｔｅｒ  Ａｒｅａ）で区分されることができる。ここで、ＣＥＬＬ＿ＤＣＨ状態でのユーザ端末は専用の物理チャネルを割り当てられて、専用伝送チャネル、共有チャネル、及び専用伝送チャネルと共有チャネルの組合せを使用することができる。ＣＥＬＬ＿ＦＡＣＨ状態でのユーザ端末は下りで一つのフォワードアクセスチャネル（ＦＡＣＨ：Ｆｏｒｗａｒｄ  Ａｃｃｅｓｓ  Ｃｈａｎｎｅｌ）を連続してモニターする必要があり、上りでデフォルトのリバースアクセス（ＲＡＣＨ，Ｒｅｖｅｒｓｅ  Ａｃｃｅｓｓ  Ｃｈａｎｎｅｌ）を割り当てられる。ＣＥＬＬ＿ＰＣＨとＵＲＡ＿ＰＣＨ状態でのユーザ端末は不連続受信（ＤＲＸ：Ｄｉｓｃｏｎｔｉｎｕｏｕｓ  Ｒｅｃｅｐｔｉｏｎ）方式を採用して、関連のページインジケータチャネル（ＰＩＣＨ：Ｐａｇｅ  Ｉｎｄｉｃａｔｏｒ  Ｃｈａｎｎｅｌ）を通じて、一つのページチャネル（ＰＣＨ：Ｐａｇｅ  Ｃｈａｎｎｅｌ）をモニターし、上り動作はない。
【０００５】
３ＧＰＰ  ＵＭＴＳ標準において、ユーザ端末が異なるモードと状態にある場合、セルの再度選択、ハンドオーバなどの処理を行うように、受信したシステム情報と自身の所在セルの受信品質に基づいて、異周波数セル又は異システムを測定する必要がある。ここで、ｉｄｌｅ、ＣＥＬＬ＿ＰＣＨ、ＵＲＡ＿ＰＣＨとＣＥＬＬ＿ＦＡＣＨ状態でのユーザ端末が異周波数／異システム測定に対するトリガ条件は、受信したシステム情報と現在の所在セルの受信品質である。ＣＥＬＬ＿ＤＣＨ状態でのユーザ端末が異周波数／異システム測定に対するトリガ条件は、システムから送信されたシステム測定制御情報である。一般に、両受信機を有しないユーザ端末に対して、二つの異なる周波数での信号に対する受信・デコードを同時にサポートすることができないため、ユーザ端末は異周波数／異システムを測定する中に、現在のセル内の信号に対する受信を中断する。
【０００６】
移動通信ネットワークのリソースを有効に利用するため、第３世代移動通信システムではマルチキャストとブロードキャストという概念を導入し、マルチキャストとブロードキャストサービスは一つのデータソースから複数の宛先に同じデータを伝送する技術である。このようで、ＷＣＤＭＡ／ＧＳＭグローバル標準化組織３ＧＰＰによりマルチメディアブロードキャスト・マルチキャストサービス（ＭＢＭＳ：Ｍｕｌｔｉｍｅｄｉａ  Ｂｒｏａｄｃａｓｔ／Ｍｕｌｔｉｃａｓｔ  Ｓｅｒｖｉｃｅ）が提出された。いわゆるＭＢＭＳは移動通信ネットワークにおいて一つのデータソースから複数のユーザに同じデータを送信するポイントツーマルチポイントサービスを提供するものであって、ネットワークリソースの共有を実現し、ネットワークリソースの利用率、特にエアインターフェースリソースの利用率を高める。
【０００７】
ＭＢＭＳサービスがユーザ端末（ＵＥ：Ｕｓｅｒ  Ｅｑｕｉｐｍｅｎｔ）とＵＴＲＡＮの間でのデータ伝送モードは、ポイントツーポイント（ＰＴＰ：Ｐｏｉｎｔ  ｔｏ  Ｐｏｉｎｔ）モードとポイントツーマルチポイント（ＰＴＭ：Ｐｏｉｎｔ  ｔｏ  Ｍｕｌｔｉｐｏｉｎｔ）モードの２種類に分けられる。ここで、ＰＴＰモードはＭＢＭＳのマルチキャストモードに用いられ、マルチキャストモードでのＲＲＣ接続モードでのユーザ端末は専用制御チャネル（ＤＣＣＨ：Ｄｅｄｉｃａｔｅｄ  Ｃｏｎｔｒｏｌ  Ｃｈａｎｎｅｌ）を通じて制御情報を受信し、及び専用トラフィックチャネル（ＤＴＣＨ：Ｄｅｄｉｃａｔｅｄ  Ｔｒａｆｆｉｃ  Ｃｈａｎｎｅｌ）を通じてデータ情報を受信する。ＰＴＭモードはＭＢＭＳのブロードキャスト又はマルチキャストモードに用いられ、当該モードでのユーザ端末がＭＢＭＳポイントツーマルチポイントトラフィックチャネル（ＭＴＣＨ：ＭＢＭＳ  ｐｏｉｎｔ−ｔｏ−ｍｕｌｔｉｐｏｉｎｔ  Ｔｒａｆｆｉｃ  Ｃｈａｎｎｅｌ）を通じてデータ情報を受信し、及びＭＢＭＳポイントツーマルチポイント制御チャネル（ＭＣＣＨ：ＭＢＭＳ  ｐｏｉｎｔ−ｔｏ−ｍｕｌｔｉｐｏｉｎｔ  Ｃｏｎｔｒｏｌ  Ｃｈａｎｎｅｌ）を通じて制御情報を受信する。
【０００８】
ユーザ端末がモニターする各セルは以下の３種類に分けられる。
１）アクティベーションセットセル（ａｃｔｉｖａｔｉｏｎ  ｓｅｔ  ｃｅｌｌ）であり、ユーザ端末情報がこれらのセル内で送信され、ユーザ端末はセル情報リストに含まれたアクティベーションセットセルのみに対して測定を行う。
２）モニタリングセットセル（ｍｏｎｉｔｏｒｉｎｇ  ｓｅｔ  ｃｅｌｌ）であり、アクティベーションセットセルには含まれずが、セル情報リストに含まれるセルがモニタリングセットセルに属する。
３）検出セットセル（Ｄｅｔｅｃｔｉｏｎ  ｓｅｔ  ｃｅｌｌ）であり、セル情報リストにも含まれず、アクティベーションセットセルにも含まれずが、ユーザ端末によって検出できるセルがモニタリングセットセルに属する。
【０００９】
３ＧＰＰ  ＵＭＴＳ標準において、ＴＤＤ端末は１．２８Ｍｃｐｓ  ＴＤＤ端末と３．８４Ｍｃｐｓ  ＴＤＤ端末の２種類に分けられる。
【００１０】
ＣＥＬＬ＿ＦＡＣＨ状態で、３．８４Ｍｃｐｓ  ＴＤＤ端末がモニターできるのは最多で以下のとおりである。
【００１１】
−同周波数セル３２個（ユーザ端末が位置する現在のサービスセルを含む）、
−異周波数セル３２個、この３２個の異周波数セルには、ＴＤＤ異周波数が最多２個のＴＤＤセル、ユーザ端末の能力に依存してＦＤＤ搬送周波数が最多３個のＦＤＤセルが含まれ、
−ユーザ端末の能力に依存して、３２個のＧＳＭ周波数を割り当てられたＧＳＭセル３２個。
【００１２】
ＣＥＬＬ＿ＦＡＣＨ状態で、１．２８Ｍｃｐｓ  ＴＤＤ端末は最多に以下のとおりにモニターできる。
−同周波数セル３２個（ユーザ端末が位置する現在のサービスセルを含む）、
−異周波数セル３２個、この３２個の異周波数セルには、ＴＤＤ異周波数が最多３個のＴＤＤセル、ユーザ端末の能力に依存してＦＤＤ搬送波周波数が最多３個のＦＤＤセルが含まれ、
−ユーザ端末の能力に依存して、３２個のＧＳＭ周波数を割り当てられたＧＳＭセル３２個。
【００１３】
ここで、ＣＥＬＬ＿ＦＡＣＨ状態にあるユーザ端末はセルの再度選択、新しいセルの識別などの操作に用いられるように、異周波数／異システム測定処理を行う必要がある。ここで、ＣＥＬＬ＿ＦＡＣＨ状態にあるユーザ端末は次式を満たすシステムフレーム番号（ＳＦＮ：ｓｙｓｔｅｍ  ｆｒａｍｅ  ｎｕｍｂｅｒ）を識別し、当該式を満たすシステムフレーム番号において、異周波数／異システム測定を実行する。
【００１４】
ＳＦＮ  ｄｉｖ  Ｎ＝Ｃ＿ＲＮＴＩ  ｍｏｄ  Ｍ＿ＲＥＰ  ＋  ｎ×Ｍ＿ＲＥＰ          （式１）
【００１５】
式１において、
Ｎは、ＦＤＤ端末がモニターした、非ＭＢＭＳ論理チャネルを搭載するＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）で最大ＴＴＩ（Ｔｒａｎｓｍｉｓｓｉｏｎ  Ｔｉｍｉｎｇ  Ｉｎｔｅｒｖａｌ）を有するＦＡＣＨのＴＴＩを１０ｍで割ったものであり、この時間はユーザ端末が異周波数／異システムを測定する時間の持続長さであり、
Ｍ＿ＲＥＰは測定間隔の循環周期を表し、Ｍ＿ＲＥＰ  ＝  ２ｋであり、上記の式によれば、一つのＮフレームの測定時間の繰り返す周期はＮ×Ｍ＿ＲＥＰフレームであり、ここで、ｋはＦＡＣＨ測定間隔循環周期の係数であり、システム情報１１又は１２に含まれた情報要素「ＦＡＣＨ  ｍｅａｓｕｒｅｍｅｎｔ  ｏｃｃａｓｉｏｎ  ｉｎｆｏ」で読み取ることができ、
Ｃ＿ＲＮＴＩ（ｃｅｌｌ  ｒａｄｉｏ  ｎｅｔｗｏｒｋ  ｔｅｍｐｏｒａｒｙ  ｉｄｅｎｔｉｔｙ）はユーザ端末のＣ−ＲＮＴＩ値であり、
ｎ  ＝  ０，１，２…，ＳＦＮがその最大値より低ければいい。
【００１６】
上記の式１を満たす異周波数／異システム測定時間中において、ユーザ端末は既に識別した異周波数セル／異システムセルに対して連続して測定を行い、同時に、ＵＴＲＡＮから送信されたシステム測定制御情報で指示された新しい異周波数セル／異システムセルを検索する。
【００１７】
従来の標準において、ＭＢＭＳ  ＰＴＭサービスを受信した周波数分割複信（ＦＤＤ）端末が新しい異周波数セルを識別するプロセスは以下のとおりである。
【００１８】
（一）ユーザ端末はＵＴＲＡＮから送信されたシステム測定制御情報を受信し、システム測定制御情報で指示された異周波数セル情報を読み取り、未識別の異周波数セルの存在を発見する。
【００１９】
（二）ユーザ端末は未識別の異周波数セルを検出する（ユーザ端末はシステム測定制御情報で指示された新しい異周波数セルでの周波数で動作することにより、この周波数で受信信号が十分強いことを発見すれば、この異周波数セルを検出したと認める）。
【００２０】
（三）ユーザ端末は次式で計算して得た識別時間Ｔｉｄｅｎｔｉｆｙ，ｉｎｔｅｒ内に、上記検出した異周波数セルを識別し、
【００２１】
【数１】
2008539616.tif 000003
【００２２】
式２において、
Ｔｂａｓｉｃ＿ｉｄｅｎｔｉｆｙ＿ＦＤＤ，ｉｎｔｅｒ＝３００ｍｓ、それはユーザ端末が新しい異周波数セルを識別する最大許可時間であり、
ＮＦｒｅｑ，ＦＤＤはシステム測定制御情報での異周波数セル情報リストに含まれたＦＤＤ周波数の数であり、
【００２３】
【数２】
2008539616.tif 000004
【００２４】
式３において、
ＮＴＴＩは式１のＮに等しく、Ｍ＿ＲＥＰは式１の解釈を参照し、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒ  ＦＡＣＨ＝（ＮＴＴＩ×１０−２×０．５）ｍｓ、ＮＴＴＩは式１のＮに等しい。
【００２５】
（四）自身に記憶されたセル情報リストに、ユーザ端末は上記新たに識別した異周波数セルを識別済みの異周波数セルに標識する。
【００２６】
ここで、ＭＢＭＳ  ＰＴＭサービスを受信したＦＤＤ端末が異周波数セルに対して共通パイロットチャネル（ＣＰＩＣＨ：Ｃｏｍｍｏｎ  Ｐｉｌｏｔ  Ｃｈａｎｎｅｌ）測定を行うプロセスは以下のとおりである。
【００２７】
（一）ユーザ端末はＵＴＲＡＮから送信されたシステム測定制御情報又はシステムブロードキャスト情報を受信し、異周波数セルに対するＣＰＩＣＨ測定をトリガする。
【００２８】
（二）次式で計算して得た測定周期ＴＭｅａｓｕｒｅｍｅｎｔ，Ｉｎｔｅｒ内に、ユーザ端末の物理層は測定結果を上位層に報告し、
【００２９】
【数３】
2008539616.tif 000005
【００３０】
式４において、
Ｔｂａｓｉｃ＿ｍｅａｓｕｒｅｍｅｎｔ＿ＦＤＤ，ｉｎｔｅｒ＝５０ｍｓ、
ＴＭｅａｓｕｒｅｍｅｎｔ＿Ｐｅｒｉｏｄ，Ｉｎｔｅｒ＝４８０ｍｓ、
その他のパラメータは上記の式２と式３での相応解釈を参照する。
【００３１】
（三）ユーザ端末の上位層は物理層から報告された測定結果を内部アルゴリズム（例えば、当該測定結果をセル再度選択アルゴリズムの入力パラメータとすることができる）に用い、又は無線ネットワーク制御装置（ＲＮＣ：Ｒａｄｉｏ  Ｎｅｔｗｏｒｋ  Ｃｏｎｔｒｏｌｌｅｒ）に報告する。
【００３２】
しかし、実際の応用プロセスにおいて、ＭＢＭＳ  ＰＴＭサービスを受信したＦＤＤ端末が、新しい異周波数セルを識別し、異周波数セルに対してＣＰＩＣＨ測定を行う場合、ユーザ端末はＭＢＭＳの復調性能要求を保証するために、式１により計算して得た全部の異周波数測定時間を使用して異周波数測定を行うことができず、そのうちの一部分の異周波数測定時間のみを使用して異周波数測定を行う可能である。ただし、ユーザ端末が新しい異周波数セルを識別する識別時間Ｔｉｄｅｎｔｉｆｙ，ｉｎｔｅｒを求める式２、及びユーザ端末の物理層が測定結果を上位層に報告する測定周期ＴＭｅａｓｕｒｅｍｅｎｔ，Ｉｎｔｅｒを求める式４でのパラメータＴＩｎｔｅｒ  ＦＡＣＨ＝（ＮＴＴＩ×１０−２×０．５）ｍｓに含まれた意味では、ユーザ端末が式１により計算して得た全部の異周波数測定時間を使用して異周波数測定処理を行うべきである。このようでは下記のような問題を招く。
【００３３】
式２で計算して得た識別時間Ｔｉｄｅｎｔｉｆｙ，ｉｎｔｅｒ内に、ユーザ端末が新しい異周波数セルを識別し、式４で計算して得た測定周期ＴＭｅａｓｕｒｅｍｅｎｔ，Ｉｎｔｅｒ内に、異周波数セルに対するＣＰＩＣＨ測定結果を上位層に報告する場合、ユーザ端末が式１により計算して得た全部の異周波数測定時間を使用して異周波数測定を行わなければならないため、ユーザ端末が受信したＭＢＭＳに対する復調性能の低減を招く。
【００３４】
ユーザ端末が、受信したＭＢＭＳに対する復調性能を保証するため、式１により計算して得た一部分の異周波数測定時間を使用して異周波数測定を行う場合、式２により計算して得た識別時間Ｔｉｄｅｎｔｉｆｙ，ｉｎｔｅｒ内でユーザ端末が新しい異周波数セルを識別することができないおそれがあり、式４により計算して得た測定周期ＴＭｅａｓｕｒｅｍｅｎｔ，Ｉｎｔｅｒ内に、異周波数セルに対するＣＰＩＣＨ測定結果を上位層に報告することもできないおそれがある。
上記プロセスは、ＭＢＭＳ  ＰＴＭサービスを受信し且つＣＥＬＬ＿ＦＡＣＨ状態にあるＦＤＤ端末が異システムＷＣＤＭＡ  ＴＤＤセルに対する識別、及び異システムＷＣＤＭＡ  ＴＤＤセルのプライマリ共通制御物理チャネル（ＰＣＣＰＣＨ：Ｐｒｉｍａｒｙ  Ｃｏｍｍｏｎ  Ｃｏｎｔｒｏｌ  Ｐｈｙｓｉｃａｌ  Ｃｈａｎｎｅｌ）の受信信号コードパワー（ＲＳＣＰ：Ｒｅｃｅｉｖｅｄ  Ｓｉｇｎａｌ  Ｃｏｄｅ  Ｐｏｗｅｒ）測定結果に対する報告処理でも同様な技術欠点が存在している。
従来の標準において、ＭＢＭＳ  ＰＴＭサービスを受信したＦＤＤ端末が、検出した、モニタリングセット内に属する新しい異システムＷＣＤＭＡ  ＴＤＤセルを識別するとき、次式で計算して得た識別時間Ｔｉｄｅｎｔｉｆｙ，ＴＤＤ内に、異システムＷＣＤＭＡ  ＴＤＤセルを識別することが要求される。
【００３５】
【数４】
2008539616.tif 000006
【００３６】
ここで、Ｔｂａｓｉｃ＿ｉｄｅｎｔｉｆｙ＿ＴＤＤ，ｉｎｔｅｒ  ＝  ８００ｍｓ、
ＮＦｒｅｑ，ＴＤＤはシステム測定制御情報での異周波数セル情報リストに含まれたＴＤＤ周波数の数であり、
その他のパラメータは上記の式２と式３に対する解釈を参照する。
【００３７】
且つ、次式で計算して得た測定周期ＴＭｅａｓｕｒｅｍｅｎｔ，ＴＤＤ内に、ユーザ端末の物理層が異システムＷＣＤＭＡ  ＴＤＤセルに対するＰＣＣＰＣＨ  ＲＳＣＰ測定結果を上位層に報告することが要求される。
【００３８】
【数５】
2008539616.tif 000007
【００３９】
式６において、
Ｔｂａｓｉｃ＿ｍｅａｓｕｒｅｍｅｎｔ＿ＴＤＤ，ｉｎｔｅｒ＝  ５０  ｍｓ、
ＴＭｅａｓｕｒｅｍｅｎｔ＿Ｐｅｒｉｏｄ＿ＴＤＤ，ｉｎｔｅｒ＝  ４８０  ｍｓ、
その他のパラメータは上記の式２と式３での相応解釈を参照する。
【００４０】
このようでは、相応に下記のような問題がある。
【００４１】
式５で計算して得た識別時間Ｔｉｄｅｎｔｉｆｙ，ＴＤＤ内に、ユーザ端末が新しい異システムＷＣＤＭＡ  ＴＤＤセルを識別して、式６で計算して得た測定周期ＴＭｅａｓｕｒｅｍｅｎｔ，ＴＤＤ内に、異システムＷＣＤＭＡ  ＴＤＤセルに対するＰＣＣＰＣＨ  ＲＳＣＰ測定結果を上位層に報告する場合、ユーザ端末が式１により計算して得た全部の異システム測定時間を使用して異システム測定を行わなければならないため、ユーザ端末が受信したＭＢＭＳに対する復調性能の低減を招く。
【００４２】
ユーザ端末が、受信したＭＢＭＳに対する復調性能を保証するため、式１により計算して得た一部分の異システム測定時間を使用して異システム測定を行う場合、ユーザ端末は式５により計算して得た識別時間Ｔｉｄｅｎｔｉｆｙ、ＴＤＤ内に新しい異システムＷＣＤＭＡ  ＴＤＤセルを識別することができないおそれがあり、式６により計算して得た測定周期ＴＭｅａｓｕｒｅｍｅｎｔ、ＴＤＤ内に、異システムＷＣＤＭＡ  ＴＤＤセルに対するＰＣＣＰＣＨ  ＲＳＣＰ測定結果を上位層に報告することもできないおそれがある。
【００４３】
ここで、ＴＤＤ端末は時間Ｔｍｅａｓごとに周期的にＦＤＤ異周波数セル、ＴＤＤ異周波数セルとＧＳＭセルを測定する必要があり、Ｔｍｅａｓは下記のような式を満たす。
【００４４】
【数６】
2008539616.tif 000008
【００４５】
式７で各パラメータの意味は、具体的に上記の式３での解釈を参照する。
【００４６】
これらの異周波数／異システム測定時間内に、ＴＤＤ端末は識別済みの異周波数セルを連続して測定し、且つＵＴＲＡＮから送信されたシステム測定制御情報で指示された新しい異周波数／異システムセルを検索する。
【００４７】
従来の標準において、ＭＢＭＳ  ＰＴＭサービスを受信したＴＤＤ端末が異周波数／異システムセルに対して測定を実行するプロセスは以下のとおりである。
【００４８】
（一）ＴＤＤ端末はＵＴＲＡＮから送信されたシステム測定制御情報を受信し、システム測定制御情報に基づいて、相応の異周波数／異システムセルに対する異周波数／異システム測定処理の実行をトリガする。
【００４９】
（二）ＴＤＤ端末は上記の式１で計算して得た測定時間内及び／又はアイドル時間（ＴＤＤモードで一つのフレーム内は上り下りタイムスロット（ｔｉｍｅ  ｓｌｏｔ）に分けられ、ＴＤＤ端末にとって、受信もせず、発射もせずタイムスロットがこのＴＤＤ端末のアイドル時間である）内に、異周波数／異システムセル測定処理を実行し、異周波数／異システムセル測定時間内にＴＤＤ端末はＭＢＭＳ  ＰＴＭサービスに対する受信を中断する。
【００５０】
（三）ＴＤＤ端末は異周波数／異システム測定を実行しないほかの時間で、ＭＢＭＳ  ＰＴＭサービスを受信する。
【００５１】
しかし、実際の応用プロセスにおいて、ＭＢＭＳ  ＰＴＭサービスを受信したＴＤＤ端末が異周波数／異システム測定処理を行うとき、ＭＢＭＳ  ＰＴＭサービスに対する受信を中断するため、ほとんどの情況で、個々のＴＤＤ端末がＭＢＭＳ  ＰＴＭサービスに対する受信中断のタイミングが異なっているため、ネットワーク側では、ＴＤＤ端末に受信されていないどのＭＢＭＳ  ＰＴＭサービス情報を再送すべきかを決定するのが難しく、したがってＴＤＤ端末がＭＢＭＳ  ＰＴＭサービスに対する受信品質が劣ることにつながる。
【００５２】
従来の標準において、ＭＢＭＳ  ＰＴＭサービスを受信したＴＤＤ端末が新しい異周波数セルを識別するプロセスは以下のとおりである。
【００５３】
（一）ＴＤＤ端末はＵＴＲＡＮから送信されたシステム測定制御情報を受信し、システム測定制御情報で指示された異周波数セル情報を読み取り、未識別の異周波数セルの存在を発見する。
【００５４】
（二）ＴＤＤ端末は未識別の異周波数セルを検出する（ユーザ端末はシステム測定制御情報で指示された新しい異周波数セルでの周波数で動作することにより、この周波数で受信信号が十分強いことを発見すれば、この異周波数セルを検出したと認める）。
【００５５】
（三）ＴＤＤ端末は次式で計算される識別時間Ｔｉｄｅｎｔｉｆｙ，ｉｎｔｅｒ内に、上記検出した異周波数セルを識別する。
【００５６】
ここで、３．８４Ｍｃｐｓ  ＴＤＤ端末がモニタリングセットセル内の新たに検出した一つの異周波数ＴＤＤセルを識別するのに必要な時間性能要求は下記のとおりである。
【００５７】
【数７】
2008539616.tif 000009
【００５８】
式８において、
Ｔｂａｓｉｃ＿ｉｄｅｎｔｉｆｙ＿ＴＤＤ，ｉｎｔｅｒ＝８００ｍｓ、それはＴＤＤ端末が新しいＴＤＤセルを識別するのに必要な最大許可時間であり、
ＮＦｒｅｑ，ＴＤＤはＵＴＲＡＮによって指示されたシステム測定制御情報での異周波数セル情報リストに含まれたＴＤＤ周波数の数であり、
その他のパラメータは上記の式２と式３での相応解釈を参照する。
【００５９】
ここで、１．２８Ｍｃｐｓ  ＴＤＤ端末がモニタリングセットセル内の新たに検出した一つの異周波数ＴＤＤセルを識別するのに必要な時間性能要求は下記のとおりである。
【００６０】
【数８】
2008539616.tif 000010
【００６１】
式９において、
ＴＭｅａｓｕｒｅｍｅｎｔ＿Ｐｅｒｉｏｄ  Ｉｎｔｅｒ＝４８０ｍｓ、
ＮＩｎｔｅｒ，ＦＡＣＨは周期Ｔｍｅａｓｕｒｅｍｅｎｔ＿Ｐｅｒｉｏｄ  Ｉｎｔｅｒ内に受信できる目標異周波数ＴＤＤセルのＰＣＣＰＣＨとＤｗＰＣＨの信号があるサブフレーム数である。この値はチャネル割り当てとＣＥＬＬ＿ＦＡＣＨ状態での測定時間（アイドル時間と式１により計算して得た測定時間を含む）に基づいて得られ、且つ２×０．１ｍｓの実現許容差（ｔｏｌｅｒａｎｃｅ）も考慮する。上記の式１で計算して得た測定時間内に、ＵＥがアイドル時間で測定できない異周波数セルを測定する。
Ｎｂａｓｉｃ  ｉｄｅｎｔｉｆｙ  ＴＤＤ，  Ｉｎｔｅｒ＝  １６０、それはＴｂａｓｉｃ  ｉｄｅｎｔｉｆｙ  ＴＤＤ，  ｉｎｔｅｒ．内のサブフレーム数である。
【００６２】
ＮＦｒｅｑはＵＴＲＡＮによって指示されたシステム測定制御情報での異周波数セル情報リストに含まれたＴＤＤ周波数の数である。
【００６３】
（四）ＴＤＤ端末は自身に記憶されたセル情報リストに、上記新たに識別したＴＤＤ異周波数セルを識別済みのＴＤＤ異周波数セルに標識する。
【００６４】
このほか、ＭＢＭＳ  ＰＴＭサービスを受信したＴＤＤ端末が異周波数ＴＤＤセルに対してＰＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）を行うプロセスは以下のとおりである。
【００６５】
（一）ＴＤＤ端末はＵＴＲＡＮから送信されたシステム測定制御情報又はシステムブロードキャスト情報を受信し、異周波数ＴＤＤセルに対するＰＣＣＰＣＨ測定をトリガする。
【００６６】
（二）次式で計算して得た測定周期ＴＭｅａｓｕｒｅｍｅｎｔ，Ｉｎｔｅｒ内に、ＴＤＤ端末の物理層は測定結果を上位層に報告する。
ここで、次式で計算して得た測定周期ＴＭｅａｓｕｒｅｍｅｎｔ，ｉｎｔｅｒ内に、３．８４Ｍｃｐｓ  ＴＤＤ端末の物理層は異周波数ＴＤＤセルに対するＰＣＣＰＣＨ測定結果を上位層に報告する。
【００６７】
【数９】
2008539616.tif 000011
【００６８】
式１０において、
Ｔｂａｓｉｃ  ｍｅａｓｕｒｅｍｅｎｔ  ＴＤＤ，ｉｎｔｅｒ＝５０ｍｓ、
ＴＭｅａｓｕｒｅｍｅｎｔ  Ｐｅｒｉｏｄ  ＴＤＤ  Ｉｎｔｅｒ＝４８０ｍｓ、
その他のパラメータは上記の式２と式３での相応解釈を参照する。
【００６９】
ここで、次式で計算して得た測定周期ＴＭｅａｓｕｒｅｍｅｎｔ，ｉｎｔｅｒ内に、１．２８Ｍｃｐｓ  ＴＤＤ端末の物理層は異周波数ＴＤＤセルに対するＰＣＣＰＣＨ測定結果を上位層に報告する。
【００７０】
【数１０】
2008539616.tif 000012
【００７１】
式１１において、
Ｔｂａｓｉｃ＿ｍｅａｓｕｒｅｍｅｎｔ＿ＴＤＤ  ｉｎｔｅｒ＝５０ｍｓ、
その他のパラメータは上記の式９での相応解釈を参照する。
【００７２】
（三）ＴＤＤ端末の上位層は物理層から報告された測定結果を内部アルゴリズムに用い（例えば、当該測定結果をセル再度選択アルゴリズムの入力パラメータとすることができる）、又は無線ネットワーク制御装置（ＲＮＣ：Ｒａｄｉｏ  Ｎｅｔｗｏｒｋ  Ｃｏｎｔｒｏｌｌｅｒ）に報告する。
【００７３】
しかし、実際の応用プロセスにおいて、ＭＢＭＳ  ＰＴＭサービスを受信したＴＤＤ端末が、新しい異周波数ＴＤＤセルを識別し、異周波数ＴＤＤセルに対してＰＣＣＰＣＨ測定を行う場合、ＴＤＤ端末がＭＢＭＳの復調性能要求を保証するために、アイドル時間及び／又は式１により計算して得た全部の異周波数測定時間を使用して異周波数測定を行うことができず、そのうちの一部分の異周波数測定時間のみを使用して異周波数測定を行う可能であるおそれがある。ただし、ＴＤＤ端末が新しい異周波数セルを識別する識別時間Ｔｉｄｅｎｔｉｆｙ，ｉｎｔｅｒを求める式８と式９、及びＴＤＤ端末の物理層がＰＣＣＰＣＨ測定結果を上位層に報告する測定周期ＴＭｅａｓｕｒｅｍｅｎｔ，Ｉｎｔｅｒを求める式１０と式１１でのパラメータＴＩｎｔｅｒＦＡＣＨ＝（ＮＴＴＩ×１０−２×０．５）ｍｓに含まれた意味では、ＴＤＤ端末が式１で計算し得られた完全の異周波数測定時間を使用して異周波数測定処理を行うべきである。このようでは下記のような問題を招く。
【００７４】
式８と式９で計算して得た識別時間Ｔｉｄｅｎｔｉｆｙ，ｉｎｔｅｒ内に、ＴＤＤ端末が新しい異周波数ＴＤＤセルを識別し、式１０と式１１で計算して得た測定周期ＴＭｅａｓｕｒｅｍｅｎｔ，Ｉｎｔｅｒ内に、異周波数ＴＤＤセルに対するＰＣＣＰＣＨ測定結果を上位層に報告する場合、ＴＤＤ端末が全部のアイドル時間及び／又は式１により計算して得た全部の異周波数測定時間を使用して異周波数測定を行わなければならないため、ＴＤＤ端末が受信したＭＢＭＳに対する復調性能の低減を招く。
【００７５】
ＴＤＤ端末が、受信したＭＢＭＳに対する復調性能を保証するために、一部分のアイドル時間及び／又は式１により計算して得た一部分の異周波数測定時間を使用して異周波数測定を行う場合、ＴＤＤ端末が式８と式９により計算して得た識別時間Ｔｉｄｅｎｔｉｆｙ，ｉｎｔｅｒ内に新しい異周波数ＴＤＤセルを識別することができず、式１０と式１１により計算して得た測定周期ＴＭｅａｓｕｒｅｍｅｎｔ，Ｉｎｔｅｒ内に、異周波数セルに対するＰＣＣＰＣＨ測定結果を上位層に報告することもできないおそれがある。
【００７６】
上記プロセスは、ＭＢＭＳ  ＰＴＭサービスの受信状態にあるＴＤＤ端末が異システムＷＣＤＭＡ  ＦＤＤセルに対する識別、及び異システムＷＣＤＭＡ  ＦＤＤの共通パイロットチャネル（ＣＰＩＣＨ，Ｃｏｍｍｏｎ  Ｐｉｌｏｔ  Ｃｈａｎｎｅｌ）に対する測定結果の報告処理でも同様の技術欠点が存在している。
【００７７】
従来の標準において、ＭＢＭＳ  ＰＴＭサービスを受信したＴＤＤ端末が、検出したの、モニタリングセット内に属する新しい異システムＷＣＤＭＡ  ＦＤＤセルを識別する場合、次式で計算して得た識別時間Ｔｉｄｅｎｔｉｆｙ  ＦＤＤ  ｉｎｔｅｒ内に、異システムＷＣＤＭＡ    ＦＤＤセルを識別することが要求される。
【００７８】
ここで、３．８４Ｍｃｐｓ  ＴＤＤ端末がモニタリングセットセル内の新たに検出した一つのＷＣＤＭＡ  ＦＤＤ異周波数セルを識別するのに必要な時間性能要求は下記のとおりである。
【００７９】
【数１１】
2008539616.tif 000013
【００８０】
式１２において、
Ｔｂａｓｉｃ＿ｉｄｅｎｔｉｆｙ＿ＦＤＤ，ｉｎｔｅｒ＝８００ｍｓ、それはＴＤＤ端末が新しいＷＣＤＭＡ  ＦＤＤセルを識別するのに必要な最大許可時間であり、
ＮＦｒｅｑ，ＦＤＤはＵＴＲＡＮによって指示されたシステム測定制御情報での異周波数セル情報リストに含まれたＦＤＤ周波数の数であり、
ＴＩｎｔｅｒ  ＦＡＣＨ＝（ＮＴＴＩ×１０−２×０．５）ｍｓ、
その他のパラメータは上記の式２と式３での相応解釈を参照する。
【００８１】
ここで、１．２８Ｍｃｐｓ  ＴＤＤ端末がモニタリングセットセル内の新たに検出した一つのＷＣＤＭＡ  ＦＤＤセルを識別するのに必要な時間性能要求は下記のとおりである。
【００８２】
【数１２】
2008539616.tif 000014
【００８３】
式１３において、
ＴＭｅａｓｕｒｅｍｅｎｔ＿Ｐｅｒｉｏｄ  ＦＤＤ  ｉｎｔｅｒ＝  ４８０ｍｓ、
Ｔｉｎｔｅｒ，ＦＡＣＨは周期ＴＭｅａｓｕｒｅｍｅｎｔ＿Ｐｅｒｉｏｄ＿ＦＤＤ，ｉｎｔｅｒ内にＦＤＤ測定を実行する最小時間であり、この値はチャネル割り当てとＣＥＬＬ＿ＦＡＣＨ状態での測定時間（アイドル時間と式１により計算して得た測定時間を含む）に基づいて得られ、且つ２×０．１ｍｓの実現許容差も考慮する。アイドル時間内の測定窓口の長さが測定の実行を許可すると仮定すると、式（１）で計算して得た測定時間内に、ＵＥはアイドル時間で測定できない異周波数セルを測定する。
【００８４】
Ｔｂａｓｉｃ＿ｉｄｅｎｔｉｆｙ＿ＦＤＤ，ｉｎｔｅｒ  ＝  ８００  ｍｓ、それはＴＤＤ端末が新しいＦＤＤセルを識別するのに必要な最大許可時間であり、     
ＮＦｒｅｑ，ＦＤＤはＵＴＲＡＮによって指示されたシステム測定制御情報での異周波数セル情報リストに含まれたＦＤＤ周波数の数である。
【００８５】
従来の標準において、ＭＢＭＳ  ＰＴＭサービスの受信状態にあるＴＤＤ端末の物理層は、次式で計算して得た測定周期ＴＭｅａｓｕｒｅｍｅｎｔ  ＦＤＤＩｎｔｅｒ内にＣＰＩＣＨ測定結果を上位層に報告する。
【００８６】
ここで、３．８４Ｍｃｐｓ  ＴＤＤ端末の物理層は次式で計算して得た測定周期ＴＭｅａｓｕｒｅｍｅｎｔ  ＦＤＤ，ｉｎｔｅｒ内に、異システムＷＣＤＭＡ  ＦＤＤセルに対するＣＰＩＣＨ測定結果を上位層に報告する。
【００８７】
【数１３】
2008539616.tif 000015
【００８８】
式１４において、
Ｔｂａｓｉｃ＿ｍｅａｓｕｒｅｍｅｎｔ＿ＦＤＤ  ｉｎｔｅｒ＝  ５０ｍｓ、
ＴＭｅａｓｕｒｅｍｅｎｔ＿Ｐｅｒｉｏｄ  ＦＤＤ  ｉｎｔｅｒ  ＝  ４８０ｍｓ、
ＴＩｎｔｅｒ  ＦＡＣＨ＝（ＮＴＴＩ×１０−２×０．５）ｍｓ、
その他のパラメータは上記の式２と式３での相応解釈を参照する。
【００８９】
ここで、１．２８Ｍｃｐｓ  ＴＤＤ端末の物理層は次式で計算して得た測定周期ＴＭｅａｓｕｒｅｍｅｎｔ  ＦＤＤ  ｉｎｔｅｒ内に、異システムＷＣＤＭＡ  ＦＤＤセルに対するＣＰＩＣＨ測定結果を上位層に報告する。
【００９０】
【数１４】
2008539616.tif 000016
【００９１】
式１５において、Ｔｂａｓｉｃ＿ｍｅａｓｕｒｅｍｅｎｔ＿ＦＤＤ  ｉｎｔｅｒ＝５０ｍｓ、その他のパラメータは上記の式１４での相応解釈を参照する。
【００９２】
このようでは相応に下記のような問題がある。
【００９３】
ＴＤＤ端末が式１２と式１３で計算して得た識別時間Ｔｉｄｅｎｔｉｆｙ  ＴＤＤ  ｉｎｔｅｒ内に、新しい異システムＷＣＤＭＡ  ＴＤＤセルを識別し、式１４と式１５で計算して得た測定周期ＴＭｅａｓｕｒｅｍｅｎｔ，ＴＤＤ  ｉｎｔｅｒ内に、異システムＷＣＤＭＡ  ＴＤＤセルに対するＣＰＩＣＨ測定結果を上位層に報告する場合、ＴＤＤ端末が全部のアイドル時間及び／又は式１により計算して得た全部の異システム測定時間を使用して異システム測定を行わなければならないため、ＴＤＤ端末が受信したＭＢＭＳに対する復調性能の低減を招く。
【００９４】
ＴＤＤ端末が、受信したＭＢＭＳに対する復調性能を保証するため、一部分のアイドル時間及び／又は式１により計算して得た一部分の異システム測定時間を使用して異システム測定を行う場合、ＴＤＤ端末が式１２と式１３により計算して得た識別時間Ｔｉｄｅｎｔｉｆｙ，ＴＤＤ  ｉｎｔｅｒ内に新しい異システムＷＣＤＭＡ  ＴＤＤセルを識別することができず、式１４と式１５により計算して得た測定周期ＴＭｅａｓｕｒｅｍｅｎｔ，ＴＤＤ  ｉｎｔｅｒ内に、異システムＷＣＤＭＡ  ＴＤＤセルに対するＣＰＩＣＨ測定結果を上位層に報告することもできないおそれがある。
【００９５】
また、上記ＴＤＤ端末が異周波数ＴＤＤセルと異システムＷＣＤＭＡ  ＦＤＤセルに対して測定、識別及び測定結果の報告処理を行うプロセスに存在する技術欠点は、相応にＴＤＤ端末がＧＳＭセルに対して測定、識別及び測定結果の報告処理を行うプロセスにも同様に存在している。
【００９６】
したがって、異周波数／異システムセルの測定、識別及び報告技術を改善する必要がある。
【発明の開示】
【発明が解決しようとする課題】
【００９７】
本発明が解決しようとする課題は、ブロードキャストマルチキャスト情報の復調性能を保証する上で、異周波数／異システムセルに対する測定を完成し、且つ測定性能要求を確保できる、ブロードキャストマルチキャスト情報を受信する端末の異周波数／異システムの測定方法及びその測定性能要求の決定方法を提供することである。
【課題を解決するための手段】
【００９８】
上記課題を解決するため、本発明に提出された技術方案は以下のとおりである。
【００９９】
ブロードキャストマルチキャスト情報を受信する端末の異周波数／異システムの測定方法であって、受信したブロードキャストマルチキャスト情報に対する復調性能要求の満足を確保することを根拠として、異周波数／異システムセルに対して異周波数／異システム測定を実行する。
【０１００】
前記ユーザ端末が異周波数／異システム測定時間の中で、ブロードキャストマルチキャスト情報を受信するために一部分の時間を予約し、
ユーザ端末が、予約した異周波数／異システム測定時間に、ブロードキャストマルチキャスト情報を受信し、且つ、
ほかの異周波数／異システム測定時間に、異周波数／異システムセルに対して異周波数／異システム測定を実行する。
前記ユーザ端末がＴＤＤ端末である。
前記異周波数／異システム測定時間が、
ＴＤＤ端末のアイドル時間、及び／又は
ＴＤＤ端末がＣＥＬＬ＿ＦＡＣＨ状態で、下記のような式により決定された測定時間を含み、
ＳＦＮ＝（Ｃ＿ＲＮＴＩ  ｍｏｄ  Ｍ＿ＲＥＰ  ＋  ｎ×Ｍ＿ＲＥＰ）×Ｎ
ここで、前記ＴＤＤ端末は上記の式を満たすＳＦＮのフレームで異周波数／異システム測定を実行し、
Ｎは、ＴＤＤ端末がモニターした、非マルチメディアブロードキャストマルチキャストサービス論理チャネルを搭載するＳＣＣＰＣＨで最大ＴＴＩを有するフォワードアクセスチャネルの伝送時間間隔を１０ｍで割ったものであり、
Ｍ＿ＲＥＰは測定間隔循環周期であり、Ｍ＿ＲＥＰ  ＝  ２ｋ、一つのＮフレームの測定時間の繰り返す周期はＮ×Ｍ＿ＲＥＰフレームであり、ここで、ｋはフォワードアクセスチャネル測定間隔循環周期の係数であり、システム情報１１又は１２に含まれたフォワードアクセスチャネル測定時刻情報で読取られ、
Ｃ＿ＲＮＴＩはＴＤＤ端末の無線ネットワーク臨時標識値であり、
ｎ  ＝  ０，１，２…，ＳＦＮがその最大値より低ければいい。
前記ユーザ端末がＦＤＤ端末である。
前記異周波数／異システム測定時間が、ＦＤＤ端末がＣＥＬＬ＿ＦＡＣＨ状態で、下記のような式により決定された測定時間であり、
ＳＦＮ＝（Ｃ＿ＲＮＴＩ  ｍｏｄ  Ｍ＿ＲＥＰ  ＋  ｎ×Ｍ＿ＲＥＰ）×Ｎ
ここで、前記ＦＤＤ端末は上記の式を満たすＳＦＮのフレームで異周波数／異システム測定を実行し、
Ｎは、ＦＤＤ端末がモニターした、非マルチメディアブロードキャストマルチキャストサービス論理チャネルを搭載するＳＣＣＰＣＨで最大ＴＴＩを有するフォワードアクセスチャネルの伝送時間間隔を１０ｍで割ったものであり、
Ｍ＿ＲＥＰは測定間隔循環周期であり、Ｍ＿ＲＥＰ  ＝  ２ｋ、一つのＮフレームの測定時間の繰り返す周期はＮ×Ｍ＿ＲＥＰフレームであり、ここで、ｋはフォワードアクセスチャネル測定間隔循環周期の係数であり、システム情報１１又は１２に含まれたフォワードアクセスチャネル測定時刻情報で読取られ、
Ｃ＿ＲＮＴＩはＦＤＤ端末の無線ネットワーク臨時標識値であり、
ｎ  ＝  ０，１，２…，ＳＦＮがその最大値より低ければいい。
前記ブロードキャストマルチキャスト情報が、
マルチメディアブロードキャストマルチキャストポイントツーマルチポイントサービス情報、及び／又は
マルチメディアブロードキャストマルチキャストポイントツーマルチポイント制御情報である。
【０１０１】
ブロードキャストマルチキャスト情報を受信する端末の測定性能要求の決定方法であって、
受信したブロードキャストマルチキャスト情報に対する復調性能要求の満足を確保する測定性能要求を決定する。
【０１０２】
前記ユーザ端末がＦＤＤ端末であり、前記新しいセルが当該ＦＤＤ端末の異周波数セルであり、且つＦＤＤ端末により決定された識別時間は、次式によって決定され、
【数１５】
2008539616.tif 000017
ここで、Ｔｉｄｅｎｔｉｆｙ，ｉｎｔｅｒはＦＤＤ端末が異周波数セルを識別する識別時間であり、
Ｔｂａｓｉｃ＿ｉｄｅｎｔｉｆｙ＿ＦＤＤ，ｉｎｔｅｒはＦＤＤ端末が異周波数セルを識別する最大許可時間であり、
ＮＦｒｅｑ，ＦＤＤはアクセスネットワークに送信されたシステム測定制御情報での異周波数セル情報リストに含まれたＦＤＤ周波数の数であり、
【数１６】
2008539616.tif 000018
ここで、ＮＴＴＩは、ＦＤＤ端末がモニターした、非ＭＢＭＳ論理チャネルを搭載するＳＣＣＰＣＨで最大伝送時間間隔ＴＴＩを有するＦＡＣＨのＴＴＩを１０ｍで割ったもの等しく、
Ｍ＿ＲＥＰは測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、受信したＭＢＭＳに対する復調性能を保証する場合で、ＦＤＤ端末により決定された使用できる異周波数測定時間であり、受信機変換の時間を考慮すると、ＴＩｎｔｅｒは、受信したＭＢＭＳサービスに対する復調性能要求の保証を前提として、ＦＤＤ端末により決定された使用できる異周波数測定時間から受信機変換時間を引いたものである。
前記ユーザ端末がＦＤＤ端末であり、前記新しいセルが当該ＦＤＤ端末の異周波数セルであり、且つＦＤＤ端末により決定された報告時間は、次式によって計算され、即ち、報告時間は、
【数１７】
2008539616.tif 000019
ＮＦｒｅｑ，ＦＤＤはアクセスネットワークに送信されたシステム測定制御情報での異周波数セル情報リストに含まれたＦＤＤ周波数の数であり、
【数１８】
2008539616.tif 000020
ここで、ＮＴＴＩは、ＦＤＤ端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰは測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、受信したＭＢＭＳに対する復調性能を保証する場合で、ＴＤＤ端末により決定された使用できる異周波数測定時間であり、又は受信したＭＢＭＳサービスに対する復調性能要求の満足を前提としてＴＤＤ端末により決定された使用できる異周波数測定時間から受信機変換時間を引いたものである。
前記端末がＦＤＤ端末であり、前記新しいセルが異システムＷＣＤＭＡ  ＴＤＤセルであり、且つＦＤＤ端末により決定された識別時間は、下記の式によって決定され、即ち、識別時間は、
【数１９】
2008539616.tif 000021
Ｔｂａｓｉｃ＿ｉｄｅｎｔｉｆｙ＿ＴＤＤ，ｉｎｔｅｒはＦＤＤ端末が異システムＷＣＤＭＡ  ＴＤＤセルを識別する最大許可時間であり、
ＮＦｒｅｑ，ＴＤＤはアクセスネットワークに送信されたシステム測定制御情報での異周波数セル情報リストに含まれたＴＤＤ周波数の数であり、
【数２０】
2008539616.tif 000022
ここで、ＮＴＴＩは、ＦＤＤ端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰは測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、端末が受信したＭＢＭＳに対する復調性能を保証しているとき、決定された使用できる異システム測定時間であり、又は端末が受信したＭＢＭＳサービスに対する復調性能要求を保証しているとき、決定された使用できる異システム測定時間から受信機変換時間を引いたものである。
前記端末がＦＤＤ端末であり、前記セルが異システムＷＣＤＭＡ  ＴＤＤセルであり、且つＦＤＤ端末により決定された報告時間は、次式によって決定され、即ち、報告時間は、
【数２１】
2008539616.tif 000023
上記の式において、
【数２２】
2008539616.tif 000024
ここで、ＮＴＴＩは、ＦＤＤ端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＮＦｒｅｑ，ＴＤＤはＵＴＲＡＮに送信されたシステム測定制御情報での異周波数セル情報リストに含まれたＴＤＤ周波数の数であり、
ＴＩｎｔｅｒは、ＦＤＤ端末が受信したＭＢＭＳに対する復調性能を保証しているとき、決定された使用できる異システム測定時間であり、又はＦＤＤ端末が受信したＭＢＭＳサービスに対する復調性能要求の満足を前提として、決定された使用できる異システム測定時間から受信機変換時間を引いたものである。
前記ユーザ端末がＦＤＤ端末であり、前記新しいセルが当該ＦＤＤ端末の同周波数セルであり、且つＦＤＤ端末により決定された識別時間は、次式によって決定され、即ち、識別時間は、
【数２３】
2008539616.tif 000025
上記の式において、
【数２４】
2008539616.tif 000026
ＮＴＴＩは、ＦＤＤ端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
Ｔintγαは、ＦＤＤ端末が受信したＭＢＭＳサービスに対する復調性能要求の満足を前提として、決定された使用できる同周波数測定時間であり、又はＦＤＤ端末が受信したＭＢＭＳサービスに対する復調性能要求の満足を前提として、決定された使用できる同周波数測定時間から受信機変換時間を引いたものである。
前記測定性能要求が報告セルの数を更に含み、前記端末がＦＤＤ端末であり、前記セルが当該ＦＤＤ端末の同周波数セルであり、且つＦＤＤ端末により決定された報告時間は２００ｍｓであり、前記報告セルの数は、次式によって計算され、即ち、報告時間は、
【数２５】
2008539616.tif 000027
ここで、Ｘｂａｓｉｃ ｍｅａｓｕｒｅｍｅｎｔ ＦＤＤ  ＝  ８、
ＴＭｅａｓｕｍｅｎｔ_ＰｅｒｉｏｄＩｎｔｒａが同周波数測定周期であり、
Ｔｉｎ＝ＮＴＴＩ×１０は、受信したＭＢＭＳサービスに対する復調性能を保証しているとき、決定された使用できる異周波数／異システム測定時間であり、又は受信したＭＢＭＳサービスに対する復調性能を保証しているとき、決定された使用できる異周波数／異システム測定時間から受信機変換時間を引いたものである。
前記端末が３．８４Ｍｃｐｓ  ＴＤＤ端末であり、前記新しいセルが当該    ＴＤＤ端末の異周波数ＴＤＤセルであり、且つ端末により決定された識別時間は、次式によって決定され、即ち、
【数２６】
2008539616.tif 000028
ここで、Ｔｂａｓｉｃ＿ｉｄｅｎｔｉｆｙ＿ＴＤＤ，ｉｎｔｅｒはＴＤＤ端末が異周波数セルを識別する最大許可時間であり、
ＮＦｒｅｑ，ＴＤＤはアクセスネットワークに送信されたシステム測定制御情報での異周波数セル情報リストに含まれたＴＤＤ周波数の数であり、
【数２７】
2008539616.tif 000029
ここで、ＮＴＴＩは、端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、受信したＭＢＭＳサービスに対する復調性能要求の満足を前提として、ＴＤＤ端末により決定された使用できる異周波数測定時間であり、又は受信したＭＢＭＳサービスに対する復調性能要求の満足を前提として、ＴＤＤ端末により決定された使用できる異周波数測定時間から受信機変換時間を引いたものである。
前記端末が１．２８Ｍｃｐｓ  ＴＤＤ端末であり、前記新しいセルが当該    ＴＤＤ端末の異周波数セルであり、且つ端末により決定された識別時間は、次式によって決定され、即ち、
【数２８】
2008539616.tif 000030
ここで、Ｔｂａｓｉｃ＿ｉｄｅｎｔｉｆｙ＿ＴＤＤ，ｉｎｔｅｒはＴＤＤ端末が異周波数セルを識別する最大許可時間であり、
ＴＭｅａｓｕｒｅｍｅｎｔ＿Ｐｅｒｉｏｄ  Ｉｎｔｅｒ＝４８０ｍｓ、
ＮＦｒｅｑはＵＴＲＡＮによって指示されたシステム測定制御情報での異周波数セル情報リストに含まれたＴＤＤ周波数の数であり、
ＮＩｎｔｅｒは、受信したＭＢＭＳサービスに対する復調性能要求の満足を前提として、ＴＤＤ端末により決定された使用できる異周波数測定時間に受信できる目標異周波数ＴＤＤセルのＰＣＣＰＣＨとＤｗＰＣＨの信号があるサブフレーム数であり、又は、受信したＭＢＭＳサービスに対する復調性能要求の満足を前提として、ＴＤＤ端末により決定された使用できる異周波数測定時間から受信機変換時間を引いた時間に受信できる目標異周波数ＴＤＤセルのＰＣＣＰＣＨとＤｗＰＣＨの信号があるサブフレーム数である。
前記端末が３．８４Ｍｃｐｓ  ＴＤＤ端末であり、前記セルが当該ＴＤＤ端末の異周波数セルであり、且つ端末により決定された報告時間は、次式によって計算され、即ち、報告時間は、
【数２９】
2008539616.tif 000031
ここで、Ｔｂａｓｉｃ  ｍｅａｓｕｒｅｍｅｎｔ  ＴＤＤ，ｉｎｔｅｒ＝５０ｍｓ、
ＴＭｅａｓｕｒｅｍｅｎｔ  Ｐｅｒｉｏｄ  ＴＤＤ  Ｉｎｔｅｒ＝４８０ｍｓ、
ＮＦｒｅｑはＵＴＲＡＮによって指示されたシステム測定制御情報での異周波数セル情報リストに含まれたＴＤＤ周波数の数であり、
【数３０】
2008539616.tif 000032
ここで、ＮＴＴＩは、端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、受信したＭＢＭＳサービスに対する復調性能要求の満足を前提として、ＴＤＤ端末により決定された使用できる異周波数測定時間であり、又は、受信したＭＢＭＳサービスに対する復調性能要求の満足を前提として、ＴＤＤ端末により決定された使用できる異周波数測定時間から受信機変換時間を引いたものである。
前記端末が１．２８Ｍｃｐｓ  ＴＤＤ端末であり、前記セルが当該ＴＤＤ端末の異周波数セルであり、且つ端末により決定された報告時間は、次式によって計算され、即ち、報告時間は、
【数３１】
2008539616.tif 000033
ここで、ＴＭｅａｓｕｒｅｍｅｎｔ＿Ｐｅｒｉｏｄ  Ｉｎｔｅｒ＝４８０ｍｓ、
Ｔｂａｓｉｃ＿ｍｅａｓｕｒｅｍｅｎｔ＿ＴＤＤ  ｉｎｔｅｒ＝５０ｍｓ、
ＮＦｒｅｑはＵＴＲＡＮによって指示されたシステム測定制御情報での異周波数セル情報リストに含まれたＴＤＤ周波数の数であり、
ＮＩｎｔｅｒは、受信したＭＢＭＳサービスに対する復調性能要求の満足を前提として、ＴＤＤ端末により決定された使用できる異周波数測定時間に受信できる目標異周波数ＴＤＤセルのＰＣＣＰＣＨとＤｗＰＣＨの信号があるサブフレーム数であり、又は、受信したＭＢＭＳサービスに対する復調性能要求の満足を前提として、ＴＤＤ端末により決定された使用できる異周波数測定時間から受信機変換時間を引いた時間に受信できる目標異周波数ＴＤＤセルのＰＣＣＰＣＨとＤｗＰＣＨの信号があるサブフレーム数である。
前記端末が３．８４Ｍｃｐｓ  ＴＤＤ端末であり、前記新しいセル葉がＷＣＤＭＡ  ＦＤＤセルであり、且つ端末により決定された識別時間は、次式によって決定され、即ち、識別時間は、
【数３２】
2008539616.tif 000034
上記の式において、Ｔｂａｓｉｃ＿ｉｄｅｎｔｉｆｙ＿ＦＤＤ，ｉｎｔｅｒ＝８００ｍｓはＴＤＤ端末が新しいＷＣＤＭＡ  ＦＤＤセルを識別するのに必要な許可時間であり、
【数３３】
2008539616.tif 000035
ここで、ＮＴＴＩは、端末がモニターした、非ＭＢＭＳ論理チャネルを搭載するＳＣＣＰＣＨで、最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＮＦｒｅｑ，ＦＤＤはＵＴＲＡＮによって指示されたシステム測定制御情報での異周波数セル情報リストに含まれたＦＤＤ周波数の数であり、
ＴＩｎｔｅｒは、受信したＭＢＭＳサービスに対する復調性能要求の満足を前提として、ＴＤＤ端末により決定された使用できる異周波数測定時間であり、又は、受信したＭＢＭＳサービスに対する復調性能要求の満足を前提として、ＴＤＤ端末により決定された使用できる異周波数測定時間から受信機変換時間を引いたものである。
前記端末が１．２８Ｍｃｐｓ  ＴＤＤ端末であり、前記新しいセルがＷＣＤＭＡ  ＦＤＤセルであり、且つ端末により決定された識別時間は、次式によって決定され、即ち、識別時間は、
【数３４】
2008539616.tif 000036
Ｔｂａｓｉｃ＿ｉｄｅｎｔｉｆｙ＿ＦＤＤ，ｉｎｔｅｒ  ＝  ８００  ｍｓは端末が新しいＦＤＤセルを識別するのに必要な許可時間であり、
ＴＭｅａｓｕｒｅｍｅｎｔ＿Ｐｅｒｉｏｄ  ＦＤＤ  ｉｎｔｅｒ  ＝  ４８０ｍｓ、
ＮＦｒｅｑ，はＵＴＲＡＮによって指示されたシステム測定制御情報での異周波数セル情報リストに含まれたＦＤＤ周波数の数であり、
ＴＩｎｔｅｒは、受信したＭＢＭＳサービスに対する復調性能要求の満足を前提として、ＴＤＤ端末により決定された使用できる異周波数測定時間であり、又は、受信したＭＢＭＳサービスに対する復調性能要求の満足を前提として、ＴＤＤ端末により決定された使用できる異周波数測定時間から受信機変換時間を引いたものである。
前記端末が３．８４  Ｍｃｐｓ  ＴＤＤ端末であり、前記セルが異システムＷＣＤＭＡ  ＴＤＤセルであり、且つＴＤＤ端末により決定された報告時間は、次式によって計算され、即ち、報告時間は、
【数３５】
2008539616.tif 000037
ここで、Ｔｂａｓｉｃ＿ｍｅａｓｕｒｅｍｅｎｔ＿ＦＤＤ  ｉｎｔｅｒ＝  ５０ｍｓ、
ＴＭｅａｓｕｒｅｍｅｎｔ＿Ｐｅｒｉｏｄ  ＦＤＤ  ｉｎｔｅｒ  ＝  ４８０ｍｓ、
ＮＦｒｅｑ，ＴＤＤはアクセスネットワークに送信されたシステム測定制御情報での異周波数セル情報リストに含まれたＴＤＤ周波数の数であり、
【数３６】
2008539616.tif 000038
ここで、ＮＴＴＩは、端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、受信したＭＢＭＳサービスに対する復調性能要求の満足を前提として、ＴＤＤ端末により決定された使用できる異周波数測定時間であり、又は受信したＭＢＭＳサービスに対する復調性能要求の満足を前提として、ＴＤＤ端末により決定された使用できる異周波数測定時間から受信機変換時間を引いたものである。
前記端末が１．２８  Ｍｃｐｓ  ＴＤＤ端末であり、前記セルが異システムＷＣＤＭＡ  ＴＤＤセルであり、且つＴＤＤ端末により決定された報告時間は、次式によって計算され、即ち、報告時間は、
【数３７】
2008539616.tif 000039
ここで、ＴＭｅａｓｕｒｅｍｅｎｔ＿Ｐｅｒｉｏｄ  ＦＤＤ  ｉｎｔｅｒ  ＝  ４８０ｍｓ、
Ｔｂａｓｉｃ＿ｍｅａｓｕｒｅｍｅｎｔ＿ＦＤＤ  ｉｎｔｅｒ＝５０ｍｓ、
ＮＦｒｅｑはＵＴＲＡＮによって指示されたシステム測定制御情報での異周波数セル情報リストに含まれたＴＤＤ周波数の数であり、
ＴＩｎｔｅｒは、受信したＭＢＭＳサービスに対する復調性能要求の満足を前提として、ＴＤＤ端末により決定された使用できる異周波数測定時間であり、又は受信したＭＢＭＳサービスに対する復調性能要求の満足を前提として、ＴＤＤ端末により決定された使用できる異周波数測定時間から受信機変換時間を引いたものである。
前記端末がＴＤＤ端末であり、前記新しいセルが当該ＴＤＤ端末の同周波数セルであり、且つ端末により決定された識別時間は、次式によって決定され、
【数３８】
2008539616.tif 000040
ここで、Ｔｂａｓｉｃ  ｉｄｅｎｔｉｆｙ  ＴＤＤ，ｉｎｔｒａＴ  ＝  ８００ｍｓ、
Ｎｐｅｒｉｏｄ，ｉｎｔｒａ＝４０ｍｓ、
Ｎｉｎｔｒａは、受信したＭＢＭＳサービスに対する復調性能要求の満足を前提として、決定された使用できる同周波数測定時間で、受信できる目標異周波数ＴＤＤセルのＰＣＣＰＣＨとＤｗＰＣＨの信号があるサブフレーム数である。
前記測定性能要求が報告セルの数を更に含み、前記端末がＴＤＤ端末であり、前記新しいセルが当該ＴＤＤ端末の同周波数セルであり、且つ端末により決定された報告時間は２００ｍｓであり、前記報告セルの数は次式によって計算され、
【数３９】
2008539616.tif 000041
ここで、Ｘｂａｓｉｃ ｍｅａｓｕｒｅｍｅｎｔ ＴＤＤ＝  ８、
Ｎｐｅｒｉｏｄ，ｉｎｔｒａ＝４０ｍｓ、
Ｎｉｎｔｒａは、受信したＭＢＭＳサービスに対する復調性能要求の満足を前提として、決定された使用できる同周波数測定時間で、受信できる目標異周波数ＴＤＤセルのＰＣＣＰＣＨとＤｗＰＣＨの信号があるサブフレーム数である。
【０１０３】
前記ユーザ端末が、受信したブロードキャストマルチキャスト情報に対する復調性能要求に満足できる測定時間に基づいて、異システムＧＳＭセルの測定性能要求を決定する。
【０１０４】
前記ユーザ端末が、受信したブロードキャストマルチキャスト情報に対する復調性能要求に満足できる測定時間から受信機変換時間を引いた時間に基づいて、異システムＧＳＭセルの測定性能要求を決定する。
【０１０５】
前記測定時間がＮＴＴＩ個フレームの一部分であり、最大はマルチメディアブロードキャストマルチキャストポイントツーマルチポイントサービスチャネル（ＭＴＣＨ）のＴＴＩ長さの２５％を超えず、ここで、ＮＴＴＩは、端末がモニターした、非ＭＢＭＳ論理チャネルを搭載するＳＣＣＰＣＨで最大ＴＴＩを有するＦＡＣＨのＴＴＩを１０ｍで割ったものに等しい。
【０１０６】
前記受信機変換時間が受信機のハードウェア能力によって決定され、前記受信機変換時間の常用値が１ｍｓである。
【０１０７】
前記ブロードキャストマルチキャスト情報が、
マルチメディアブロードキャストマルチキャストポイントツーマルチポイントサービス情報、及び／又は
マルチメディアブロードキャストマルチキャストポイントツーマルチポイント制御情報である。
【発明の効果】
【０１０８】
本発明が達成できる効果は以下のとおりである。
【０１０９】
本発明に提出されたブロードキャストマルチキャスト情報の受信に基づき異周波数／異システム測定方法は、ブロードキャストマルチキャスト情報の受信状態にあるユーザ端末が異周波数／異システムセルに対して異周波数／異システム測定を実行するプロセスにおいて、受信したブロードキャストマルチキャスト情報に対する復調性能要求を満たす解決措置を確保することにより、ＭＢＭＳ  ＰＴＭサービスを受信したＴＤＤ又はＦＤＤ端末がＭＢＭＳ  ＰＴＭサービス復調性能を保証する上、異周波数／異システム測定を実行することを実現できる。
【０１１０】
相応に、本発明に提出されたブロードキャストマルチキャスト情報の受信に基づき測定性能要求の決定方法は、ブロードキャストマルチキャスト情報の受信状態にあるユーザ端末が測定性能要求を決定するプロセスにおいて、受信したブロードキャストマルチキャスト情報に対する復調性能要求を満たす解決措置を確保することにより、ＭＢＭＳ  ＰＴＭサービスを受信したユーザ端末がＭＢＭＳ復調性能要求を保証するため、一部分の（異周波数／異システム又は同周波数）測定時間のみを使用して異周波数／異システム又は同周波数）測定処理を行うことと、ユーザ端末が新しい（異周波数／異システム又は同周波数）セルの識別を保証する必要があること又は新しい（異周波数／異システム又は同周波数）セルに対して測定を実行する測定結果報告時間の性能要求は完全の（異周波数／異システム又は同周波数）測定時間内に決定されることが生じる矛盾を解決して、受信したＭＢＭＳ  ＰＴＭサービスに対する復調性能要求を確保する上、端末の測定性能要求にも達することが実現する。
【発明を実施するための最良の形態】
【０１１１】
本発明に提出されたブロードキャストマルチキャスト情報を受信する端末の異周波数／異システム測定方法は、主にＭＢＭＳ  ＰＴＭサービスを受信したＴＤＤ端末が異周波数／異システム測定処理を実行するとき、ＭＢＭＳ  ＰＴＭサービスの受信品質が低下する技術矛盾を解決するために、ＭＢＭＳ  ＰＴＭサービスを受信したＴＤＤ端末が受信したＭＢＭＳ  ＰＴＭサービスに対する復調性能を保証する上で、異周波数／異システム測定処理を実行するという構想を設けたものである。
本発明に提出されたブロードキャストマルチキャスト情報を受信する端末の異周波数／異システム測定方法によっては、ＭＢＭＳ  ＰＴＭサービスを受信したＴＤＤ端末が異周波数／異システム測定処理を実行する具体的な実施プロセスは以下のとおりである。
【０１１２】
１）ＴＤＤ端末はＵＴＲＡＮから送信されたシステム測定制御情報を受信し、システム測定制御情報に基づいて、異周波数／異システムセルに対する異周波数／異システム測定処理の実行をトリガする。
【０１１３】
２）ＴＤＤ端末はＭＢＭＳ  ＰＴＭサービスの復調性能の確保を前提として、アイドル時間及び／又は上記の従来技術の式１により計算して得た測定時間内に、一部分の異周波数／異システム測定時間を選択する（即ち、一部分の異周波数／異システム測定時間を予約する）。
【０１１４】
３）ＴＤＤ端末は上記選択した異周波数／異システム測定時間内に異周波数／異システム測定処理を行い、且つほかの時間にＭＢＭＳ  ＰＴＭサービスを受信することによって、受信したＭＢＭＳ  ＰＴＭサービスに対する復調性能要求を保証する。
【０１１５】
本発明に提出されたブロードキャストマルチキャスト情報を受信する端末の異周波数／異システム測定方法によっては、ＭＣＣＨ情報を受信した、又はＭＣＣＨ情報とＭＢＭＳ  ＰＴＭサービス情報を受信したＦＤＤ端末が異周波数／異システム測定処理を実行する具体的な実施プロセスは以下のとおりである。
【０１１６】
１）ＦＤＤ端末はＵＴＲＡＮから送信されたシステム測定制御情報を受信し、システム測定制御情報に基づいて、異周波数／異システムセルに対する異周波数／異システム測定処理の実行をトリガする。
【０１１７】
２）ＦＤＤ端末はＭＣＣＨ情報（又はＭＣＣＨ情報とＭＢＭＳ  ＰＴＭサービス）の復調性能の確保を前提として、上記の従来技術の式１により計算して得た測定時間内に、一部分の異周波数／異システム測定時間を選択する（即ち、一部分の異周波数／異システム測定時間を予約する）。
３）ＦＤＤ端末は上記選択した異周波数／異システム測定時間内に異周波数／異システム測定処理を行い、且つほかの時間でＭＣＣＨ情報を受信（又はＭＣＣＨ情報とＭＢＭＳ  ＰＴＭサービス情報を受信）することによって、受信したＭＣＣＨ情報（又は受信したＭＣＣＨ情報とＭＢＭＳ  ＰＴＭサービス情報）に対する復調性能要求を保証する。
【０１１８】
本発明に提出されたブロードキャストマルチキャスト情報を受信する端末の異周波数／異システム測定方法は、ブロードキャストマルチキャストポイントツーマルチポイント制御情報（即ち、ＭＣＣＨ情報）を受信したＴＤＤ端末で利用しても、受信したＭＣＣＨ情報に対する復調性能要求を確保する上で、異周波数／異システム測定の実行を実施することができ、その具体的な実施プロセスは上記ＭＢＭＳ  ＰＴＭサービスで実施するプロセスに似ていて、ここでは贅言を省略する。
【０１１９】
上記端末の異周波数／異システム測定方法に基づいて、本発明はさらにブロードキャストマルチキャスト情報を受信する端末の測定性能要求の決定方法を提出して、ＭＢＭＳ復調性能を保証する上で得られた（異周波数／異システム又は同周波数）測定時間を使用して、ユーザ端末の測定性能要求を決定し、ＭＢＭＳ  ＰＴＭサービスを受信したユーザ端末がＭＢＭＳ復調性能要求を保証するとき、一部分の（異周波数／異システム又は同周波数）測定時間のみを使用して（異周波数／異システム又は同周波数）測定処理を行うことと、ユーザ端末が新しい（異周波数／異システム又は同周波数）セルの識別又は新しい（異周波数／異システム又は同周波数）セルに対して測定を実行した測定結果の報告時間の性能要求が全部の（異周波数／異システム又は同周波数）測定時間内に決定されることを保証することに生じる矛盾を解決した。
【０１２０】
本発明に係る測定性能要求の決定方法は、ブロードキャストマルチキャスト情報（例えば、ＭＢＭＳ  ＰＴＭサービス）を受信しているユーザ端末（例えば、ＴＤＤ端末又はＦＤＤ端末）がブロードキャストマルチキャスト情報（例えば、ＭＢＭＳ  ＰＴＭサービス）の復調性能要求を総合的に考慮して、測定性能要求を決定することによって、測定性能要求の時間内に、新しいセルの識別又は測定結果の報告を完成する。
【０１２１】
ここで、本発明に提出された測定性能要求の決定方法を実施するとき、ユーザ端末がＦＤＤ端末である場合、以下のような目的を達することができる。
【０１２２】
主には、ＭＢＭＳ  ＰＴＭサービスを受信し、且つＣＥＬＬ＿ＦＡＣＨ状態にあるＦＤＤ端末が新しい異周波数セル／異システムを識別することに用いられ、その設計の構想としては、ＦＤＤ端末が新しい異周波数セル／異システムの識別を完成できる識別時間を決定するプロセス中において、受信したＭＢＭＳに対する復調性能要素を端末が考慮することによって、受信したＭＢＭＳに対する復調性能要求の満足を確保することである。
【０１２３】
また主に、ＭＢＭＳ  ＰＴＭサービスを受信し、且つＣＥＬＬ＿ＦＡＣＨ状態にあるＦＤＤ端末の物理層が異周波数セル／異システムに対する相応の測定結果を上位層に報告し処理することに用いられ、その設計の構想としては、ＦＤＤ端末が測定結果の報告を完成できる測定周期を決定するプロセス中において、受信したＭＢＭＳに対する復調性能要素も端末が考慮することによって、受信したＭＢＭＳに対する復調性能要求の満足を確保することである。
【０１２４】
図１は本発明に係る測定性能の決定方法を採用した後、ＦＤＤ端末が異周波数セルに対する識別のプロセスを示す図である。ＭＢＭＳ  ＰＴＭサービス（以下のＭＢＭＳ  ＰＴＭサービスがＭＣＣＨ情報に取り替えることもできる）を受信し、且つＣＥＬＬ＿ＦＡＣＨ状態にあるＦＤＤ端末が新しい異周波数セルを識別するプロセスは下記のとおりである。
【０１２５】
ステップ１０で、ＦＤＤ端末はＵＴＲＡＮから送信されたシステム測定制御情報を受信し、システム測定制御情報で指示された異周波数セル情報を読み取り、未識別の異周波数セルの存在を発見する。
【０１２６】
ステップ１１で、ＦＤＤ端末は上記の未識別の異周波数セルを検知する。
【０１２７】
ステップ１２で、ＦＤＤ端末は次式を満たすシステムフレーム番号ＳＦＮで、異周波数測定を行い、ステップ１１で検知された未識別の異周波数セルを識別する。
【０１２８】
ＳＦＮ＝（Ｃ＿ＲＮＴＩ  ｍｏｄ  Ｍ＿ＲＥＰ  ＋  ｎ×Ｍ＿ＲＥＰ）×Ｎ      （式１）
【０１２９】
式１において、Ｎは、ＦＤＤ端末がモニターした、非ＭＢＭＳ論理チャネルを搭載するＳＣＣＰＣＨで、最大ＴＴＩを有するＦＡＣＨのＴＴＩを１０ｍで割ったものであり、
Ｍ＿ＲＥＰは測定間隔循環周期であり、Ｍ＿ＲＥＰ  ＝  ２ｋであり、ここで、ｋはＦＡＣＨ測定間隔循環周期の係数であり、システム情報１１又は１２に含まれたフォワードアクセスチャネル測定時刻情報「ＦＡＣＨ  ｍｅａｓｕｒｅｍｅｎｔ  ｏｃｃａｓｉｏｎ  ｉｎｆｏ」で読取られる。
【０１３０】
Ｃ＿ＲＮＴＩは前記端末の無線ネットワーク臨時標識値である。
【０１３１】
ｎ  ＝  ０，１，２…，ＳＦＮがその最大値より低ければいい。
【０１３２】
ステップ１３で、ＦＤＤ端末は次式で計算して得た識別時間内に、ステップ１１で検出された未識別異周波数セルを識別する。
【０１３３】
【数４０】
2008539616.tif 000042
【０１３４】
式１６において、Ｔｉｄｅｎｔｉｆｙ，ｉｎｔｅｒはＦＤＤ端末が新しい異周波数セルを識別する識別時間であり、
Ｔｂａｓｉｃ＿ｉｄｅｎｔｉｆｙ＿ＦＤＤ，ｉｎｔｅｒ＝３００ｍｓ、それはＦＤＤ端末が異周波数セルを識別する最大許可時間であり、
ＮＦｒｅｑ，ＦＤＤはＵＴＲＡＮに送信されたシステム測定制御情報での異周波数セル情報リストに含まれたＦＤＤ周波数の数であり、
【０１３５】
【数４１】
2008539616.tif 000043
【０１３６】
ここで、ＮＴＴＩはステップ１２でのＮに等しく、Ｍ＿ＲＥＰはステップ１２でのＭ＿ＲＥＰに等しく、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、受信したＭＢＭＳに対する復調性能を保証する場合でＦＤＤ端末により決定された使用できる異周波数測定時間であり、受信機変換の時間を考慮すると、ＴＩｎｔｅｒは、受信したＭＢＭＳサービスに対する復調性能要求の保証を前提としてＦＤＤ端末により決定された使用できる異周波数測定時間から受信機変換時間を引いたものであり（単位ｍｓ）、
ここで、受信機変換時間は受信機のハードウェア能力によって決定され、現在の受信機変換時間の通常の使用値は２×０．５ｍｓ＝１ｍｓである。
【０１３７】
ステップ１４で、ＦＤＤ端末は自身に記憶されたセル情報リストに、上記ステップ１３で新たに識別した異周波数セルを識別済みの異周波数セルに標識する。
【０１３８】
ステップ１３の具体的な実施例は下記のとおりである。
【０１３９】
ＴＩｎｔｅｒで測定時間はＮＴＴＩ個フレームの一部分であり、最大がマルチメディアブロードキャストマルチキャストポイントツーマルチポイントサービスチャネル（ＭＴＣＨ）のＴＴＩ長さの２５％を超えない。具体的な計算方法は以下のとおりである。
端末がモニターした、非ＭＢＭＳ論理チャネルを搭載するＳＣＣＰＣＨで、最大ＴＴＩを有するＦＡＣＨのＴＴＩが２０ｍｓであり、即ちＮＴＴＩ＝２であり、繰り返す時間が８０ｍｓ（即ち、Ｔｍｅａｓ）であると仮定する。マルチメディアブロードキャストマルチキャストポイントツーマルチポイントサービスチャネル（ＭＴＣＨ）のＴＴＩ長さが４０ｍｓであるため、端末の使用できる測定時間は１０ｍｓである。
【０１４０】
【数４２】
2008539616.tif 000044
【０１４１】
図２は本発明に係る測定性能要求の決定方法を採用した後、ＦＤＤ端末が、異周波数セルのＣＰＩＣＨを測定して得られたＣＰＩＣＨ測定結果を端末の上位層に報告する実現プロセスを示すフローチャートである。ＭＢＭＳ  ＰＴＭサービスを受信し、且つＣＥＬＬ＿ＦＡＣＨ状態にあるＦＤＤ端末が異周波数セルに対してＣＰＩＣＨ測定を行い、且つ測定して得られたＣＰＩＣＨ測定結果を報告するプロセスは下記のとおりである。
ステップ２０で、ＦＤＤ端末はＵＴＲＡＮから送信されたシステム測定制御情報又はシステムブロードキャスト情報を受信し、異周波数セルに対するＣＰＩＣＨ測定をトリガする。
ステップ２１で、ＦＤＤ端末は次式を満たすシステムフレーム番号ＳＦＮで異周波数セルに対してＣＰＩＣＨ測定を行う。
【０１４２】
ＳＦＮ＝（Ｃ＿ＲＮＴＩ  ｍｏｄ  Ｍ＿ＲＥＰ  ＋  ｎ×Ｍ＿ＲＥＰ）×Ｎ      （式１７）
【０１４３】
式１７での各パラメータの解釈は上記を参照する。
【０１４４】
ステップ２２で、ＦＤＤ端末の物理層は、次式で計算して得た測定周期（即ち、報告時間）内に、ＣＰＩＣＨ測定結果を上位層に報告する。
【０１４５】
【数４３】
2008539616.tif 000045
式１８でのＴｍｅａｓｕｒｅｍｅｎｔ  ｉｎｔｅｒはＦＤＤ端末の物理層が異周波数セルに対するＣＰＩＣＨ測定結果を報告する測定周期を表す。
【０１４６】
Ｔｂａｓｉｃ＿ｍｅａｓｕｒｅｍｅｎｔ＿ＦＤＤ，ｉｎｔｅｒ＝５０ｍｓ、
ＴＭｅａｓｕｒｅｍｅｎｔ＿Ｐｅｒｉｏｄ，Ｉｎｔｅｒ＝４８０ｍｓ、
ＴＩｎｔｅｒは、受信したＭＢＭＳに対する復調性能を保証する場合で、端末により決定された使用できる異周波数測定時間であり、受信機変換時間を考慮すると、ＴＩｎｔｅｒは、受信したＭＢＭＳサービスに対する復調性能要求の満足を前提として端末により決定された使用できる異周波数測定時間から受信機変換時間を引いたものであり（単位ｍｓ）、ここで、受信機変換時間は受信機のハードウェア能力によって決定され、通常、受信機変換時間の常用値は１ｍｓである。
【０１４７】
その他の各パラメータの解釈は上記を参照する。
【０１４８】
ステップ２３で、ＦＤＤ端末の上位層は物理層から報告されたＣＰＩＣＨ測定結果を自身の内部アルゴリズムに用い、又はＲＮＣに報告する。
【０１４９】
図３は本発明に係る測定性能要求の決定方法原理を採用した後、ＦＤＤ端末が異システムＷＣＤＭＡ  ＴＤＤセルを識別する処理プロセスを示す図である。ＭＢＭＳ  ＰＴＭサービスを受信し、且つＣＥＬＬ＿ＦＡＣＨ状態にあるＦＤＤ端末が新しい異システムＷＣＤＭＡ  ＴＤＤセルを識別するプロセスは以下のとおりである。
【０１５０】
ステップ３０で、ＦＤＤ端末はＵＴＲＡＮから送信されたシステム測定制御情報を受信し、システム測定制御情報で指示された異周波数セル情報を読み取り、未識別の異システムＷＣＤＭＡ  ＴＤＤセルの存在を発見する。
【０１５１】
ステップ３１で、ＦＤＤ端末は上記の未識別の異システムＷＣＤＭＡ  ＴＤＤセルを検知する。
【０１５２】
ステップ３２で、ＦＤＤ端末は次式を満たすシステムフレーム番号ＳＦＮで、異システム測定を行い、ステップ３１で検知された未識別の異システムＷＣＤＭＡ  ＴＤＤセルを識別する。
ＳＦＮ＝（Ｃ＿ＲＮＴＩ  ｍｏｄ  Ｍ＿ＲＥＰ  ＋  ｎ×Ｍ＿ＲＥＰ）×Ｎ
上記の式での各パラメータの解釈は上記を参照する。
ステップ３３で、ＦＤＤ端末は次式で計算して得た識別時間内に、ステップ３１で検出された未識別異システムＷＣＤＭＡ  ＴＤＤセルを識別する。
【０１５３】
【数４４】
2008539616.tif 000046
【０１５４】
式１９でのＴｉｄｅｎｔｉｆｙ、ＴＤＤはＦＤＤ端末が異システムＷＣＤＭＡ  ＴＤＤセルを識別する識別時間を表し、
Ｔｂａｓｉｃ＿ｉｄｅｎｔｉｆｙ＿ＴＤＤ，ｉｎｔｅｒ＝８００ｍｓ、それはＦＤＤ端末が異システムＷＣＤＭＡ  ＴＤＤセルを識別する最大許可時間であり、
ＮＦｒｅｑ，ＴＤＤはＵＴＲＡＮから送信されたシステム測定制御情報での異周波数セル情報リストに含まれたＴＤＤ周波数の数であり、
ＴＩｎｔｅｒは、受信したＭＢＭＳに対する復調性能を保証する場合で端末により決定された使用できる異システム測定時間であり、受信機変換時間を考慮すると、ＴＩｎｔｅｒは、受信したＭＢＭＳサービスに対する復調性能要求を保証する場合で端末により決定された使用できる異システム測定時間から受信機変換時間を引いたものであり（単位ｍｓ）、ここで、受信機変換時間は受信機のハードウェア能力によって決定され、通常、受信機変換時間の常用値は１ｍｓである。
その他の各パラメータの解釈は上記を参照する。
【０１５５】
ステップ３４で、ＦＤＤ端末は自身に記憶されたセル情報リストに、上記ステップ３３で新たに識別した異システムＷＣＤＭＡ  ＴＤＤセルを識別済みの異システムＷＣＤＭＡ  ＴＤＤセルに標識する。
【０１５６】
図４は本発明に係る測定性能要求の決定方法原理を採用した後、ＦＤＤ端末が、異システムＷＣＤＭＡ  ＴＤＤセルに対してＰＣＣＰＣＨ  ＲＳＣＰ測定を行って得られたＰＣＣＰＣＨ  ＲＳＣＰ測定結果を端末の上位層に報告する実現プロセスを示すフローチャートである。ＭＢＭＳ  ＰＴＭサービスを受信し、且つＣＥＬＬ＿ＦＡＣＨ状態にあるＦＤＤ端末が異システムＷＣＤＭＡ  ＴＤＤセルに対してＰＣＣＰＣＨ  ＲＳＣＰ測定を行い、且つ測定して得られたＰＣＣＰＣＨ  ＲＳＣＰ測定結果を報告するプロセスは下記のとおりである。
【０１５７】
ステップ４０で、ＦＤＤ端末はＵＴＲＡＮから送信されたシステム測定制御情報又はシステムブロードキャスト情報を受信し、異システムＷＣＤＭＡ  ＴＤＤセルに対するＰＣＣＰＣＨ  ＲＳＣＰ測定をトリガする。
【０１５８】
ステップ４１で、ＦＤＤ端末は次式を満たすシステムフレーム番号ＳＦＮで異システムＷＣＤＭＡ  ＴＤＤセルに対してＰＣＣＰＣＨ  ＲＳＣＰ測定を行う。
【０１５９】
ＳＦＮ＝（Ｃ＿ＲＮＴＩ  ｍｏｄ  Ｍ＿ＲＥＰ  ＋  ｎ×Ｍ＿ＲＥＰ）×Ｎ
【０１６０】
上記の式での各パラメータの解釈は上記を参照する。
【０１６１】
ステップ４２で、ＦＤＤ端末の物理層は、次式で計算して得た測定周期内に、ＰＣＣＰＣＨ  ＲＳＣＰ測定結果を上位層に報告する。
【０１６２】
【数４５】
2008539616.tif 000047
【０１６３】
式２０において、Ｔｂａｓｉｃ＿ｍｅａｓｕｒｅｍｅｎｔ＿ＴＤＤ，ｉｎｔｅｒ＝  ５０  ｍｓ、
ＴＭｅａｓｕｒｅｍｅｎｔ＿Ｐｅｒｉｏｄ＿ＴＤＤ，ｉｎｔｅｒ  ＝  ４８０  ｍｓ、
ＮＦｒｅｑ，ＴＤＤはＵＴＲＡＮから送信されたシステム測定制御情報での異周波数セル情報リストに含まれたＴＤＤ周波数の数であり、
ＴＩｎｔｅｒは、受信したＭＢＭＳに対する復調性能を保証する場合で、ＦＤＤ端末により決定された使用できる異システム測定時間であり、受信機変換時間を考慮すると、ＴＩｎｔｅｒは、受信したＭＢＭＳサービスに対する復調性能要求の満足を前提としてＦＤＤ端末により決定された使用できる異システム測定時間から受信機変換時間を引いたものであり（単位ｍｓ）、ここで、受信機変換時間は受信機のハードウェア能力によって決定されて、通常、受信機変換時間の常用値は１ｍｓである。
【０１６４】
ステップ４３で、ＦＤＤ端末の上位層は物理層から報告されたＰＣＣＰＣＨ  ＲＳＣＰ測定結果を自身の内部アルゴリズムに用い、又はＲＮＣに報告する。
【０１６５】
図５は本発明に係る測定性能要求の決定方法原理を採用した後、ＦＤＤ端末が異システムＧＳＭセルを識別する処理プロセスを示す図である。ＭＢＭＳ  ＰＴＭサービスを受信し、且つＣＥＬＬ＿ＦＡＣＨ状態にあるＦＤＤ端末が新しい異システムＧＳＭセルを識別し、又は識別済みの異システムＧＳＭセルを測定するプロセスは以下のとおりである。
【０１６６】
ステップ５０で、ＦＤＤ端末はＵＴＲＡＮから送信されたシステム測定制御情報を受信し、システム測定制御情報で指示された異システムセル情報を読み取り、未識別の異システムＧＳＭセルの存在、又は識別済みの異システムＧＳＭセルを測定する必要があることを発見する。
【０１６７】
ステップ５１で、ＦＤＤ端末は上記の未識別の異システムＧＳＭセルを検知し、又は上記の識別済みの異システムＧＳＭセルを測定する。
【０１６８】
ステップ５２で、ＦＤＤ端末は次式を満たすシステムフレーム番号ＳＦＮで異システムＧＳＭセルの測定を行うことによって、ステップ５１で検知された未識別の異システムＧＳＭセルを識別し、又は識別済みの異システムＧＳＭセルを測定する。ここで、具体的な測定時間は、受信したＭＢＭＳに対する復調性能を保証する場合で決定された使用できる異周波数測定時間である。受信機変換プロセスがある場合、具体的な測定時間は、決定された使用できる異周波数測定時間から受信機変換時間（ここで、受信機変換時間は受信機のハードウェア能力によって決定され、通常、受信機変換時間の常用値は１ｍｓである）を引いたものである。
【０１６９】
ＳＦＮ＝（Ｃ＿ＲＮＴＩ  ｍｏｄ  Ｍ＿ＲＥＰ  ＋  ｎ×Ｍ＿ＲＥＰ）×Ｎ
【０１７０】
上記の式において、Ｎは、ＦＤＤ端末がモニターした、非ＭＢＭＳ論理チャネルを搭載するＳＣＣＰＣＨで、最大ＴＴＩを有するＦＡＣＨのＴＴＩを１０ｍで割ったものであり、
Ｍ＿ＲＥＰは測定間隔循環周期であり、Ｍ＿ＲＥＰ  ＝  ２ｋであり、ここで、ｋはＦＡＣＨ測定間隔循環周期の係数であり、システム情報１１又は１２に含まれたフォワードアクセスチャネル測定時刻情報「ＦＡＣＨ  ｍｅａｓｕｒｅｍｅｎｔ  ｏｃｃａｓｉｏｎ  ｉｎｆｏ」で読取られる。
【０１７１】
Ｃ＿ＲＮＴＩは前記端末の無線ネットワーク臨時標識値である。
【０１７２】
ｎ  ＝  ０，１，２…，ＳＦＮがその最大値より低ければいい。
【０１７３】
ステップ５３で、ＦＤＤ端末は自身に記憶されたセル情報リストに、上記新たに識別した異システムＧＳＭセルを識別済みの異周波数セルに標識し、又は識別済みの異システムＧＳＭセルに対する測定結果を報告する。
【０１７４】
ここで、このプロセスは、ＭＢＭＳ  ＰＴＭサービスを受信し、且つＣＥＬＬ＿ＦＡＣＨ状態にあるＦＤＤ端末がＧＳＭセルのＧＳＭ搬送波受信信号強度表示信号（ＲＳＳＩ：Ｒｅｃｅｉｖｅｄ  Ｓｉｇｎａｌ  Ｓｔｒｅｎｇｔｈ  Ｉｎｄｉｃａｔｏｒ）に対する測定、又はＧＳＭ初期無線基地局識別コード（ＢＳＩＣ：Ｂａｓｅ  ｔｒａｎｓｃｅｉｖｅｒ  Ｓｔａｔｉｏｎ  Ｉｄｅｎｔｉｔｙ  Ｃｏｄｅ）識別、又はＧＳＭ  ＢＳＩＣの再度認証プロセスに適用することができる。
【０１７５】
本発明に提出された測定性能要求の決定方法は、以下の場合にも応用されることができる。ブロードキャストマルチキャスト情報の受信状態にあるＦＤＤ端末が同周波数セルを測定するとき、ブロードキャストマルチキャスト情報（例えば、ＭＢＭＳ  ＰＴＭサービス又はＭＣＣＨ情報）に対する復調性能要求を総合的に考慮して、相応の測定性能要求を決定することによって、受信したブロードキャストマルチキャスト情報に対する復調性能要求を満たす上で、測定性能要求の時間内に新しいセルの識別又は測定結果の上位層への報告を完成する。
【０１７６】
ここで、ＦＤＤ端末は下記のような式で計算して得た時間Ｔｉｄｅｎｔｉｆｙ, ｉｎｔｒａ内に新しい同周波数セルの識別を完成する。
【０１７７】
【数４６】
2008539616.tif 000048
【０１７８】
式２１において、Ｔｉｄｅｎｔｉｆｙ, ｉｎｔｒａは決定された識別時間であり、Ｔｂａｓｉｃｉｄｅｎｔｉｆｙ ＦＤＤ, ｉｎｔｒａ  ＝  ８００ｍｓ、
Ｔintγαは、受信したＭＢＭＳサービスに対する復調性能要求の満足を前提として、ＦＤＤ端末により決定された使用できる同周波数測定時間であり、受信機変換時間を考慮すると、
Ｔintγαは、受信したＭＢＭＳサービスに対する復調性能要求の満足を前提として、ＦＤＤ端末により決定された使用できる同周波数測定時間から受信機変換時間を引いたものであり（単位ｍｓ）、
ここで、普通、受信機変換時間が受信機のハードウェア能力によって決定され、現在の一般の使用値＝２×０．５ｍｓ＝１ｍｓであり、
その他のパラメータは上記従来の式８での相応解釈を参照する。
また、ＦＤＤ端末は同周波数測定の測定結果を上位層に報告し、その報告周期は固定の２００ｍｓであるが、報告の測定セル数は下記式によって決定される。
【０１７９】
【数４７】
2008539616.tif 000049
【０１８０】
ここで、Ｙｍｅａｓｕｒｅｍｅｎｔ  ｉｎｔｅｒは報告セル数であり、
Ｘｂａｓｉｃｍｅａｓｕｒｅｍｅｎｔ  ＦＤＤ＝  ８、
ＸＭｅａｓｕｒｅｍｅｎｔ＿Ｐｅｒｉｏｄ  Ｉｎｔｒａは同周波数測定周期であり、
Ｔｉｎ＝ＮＴＴＩ×１０、それは、受信したＭＢＭＳサービスに対する復調性能を保証する場合で決定された使用できる異周波数／異システム測定時間であり、又は受信したＭＢＭＳサービスに対する復調性能を保証する場合決定された使用できる異周波数／異システム測定時間から受信機変換時間を引いたものである。
【０１８１】
ここで、本発明に提出された測定性能要求の決定方法を実施するとき、ユーザ端末がＴＤＤ端末である場合、主な実施プロセスは以下のとおりである。
【０１８２】
１）ＴＤＤ端末はＵＴＲＡＮから送信されたシステム測定制御情報を受信し、且つシステム測定制御情報に基づいて、異周波数／異システム測定をトリガする。
【０１８３】
２）ＴＤＤ端末はＭＢＭＳ  ＰＴＭサービス（ＭＢＭＳ  ＰＴＭサービスがＭＣＣＨ情報に取り替えることができる）復調性能の確保を前提として、アイドル時間及び／又は上記の従来技術での式１により計算して得た測定時間内で一部分の時間を選択して異周波数／異システム測定時間とする。
【０１８４】
３）ＴＤＤ端末は選択した異周波数／異システム測定時間内に、異周波数／異システム測定を行い、その他の時間に、ＭＢＭＳ  ＰＴＭサービスを受信する。
【０１８５】
４）ＴＤＤ端末は上記２）で縮減された異周波数／異システム測定時間を使用して、異周波数／異システムの測定性能要求を決定する。
【０１８６】
ここで、上記決定された測定性能要求によって、ＭＢＭＳ  ＰＴＭサービスを受信したＴＤＤ端末が新しい異周波数ＴＤＤセルを識別する具体的なプロセスは以下のとおりである。  
【０１８７】
１）ＴＤＤ端末はＵＴＲＡＮから送信されたシステム測定制御情報を受信し、システム測定制御情報で指示された異周波数セル情報を読み取り、未識別の異周波数セルの存在を発見する。
【０１８８】
２）ＴＤＤ端末は上記の未識別の異周波数セルを検知する。
【０１８９】
３）ＴＤＤ端末はアイドル時間及び／又は従来技術の式１により計算して得た異周波数時間内の一部分の時間で異周波数測定を行い、及び新しい異周波数セルを識別する。
４）ＴＤＤ端末は次式で計算して得た時間内に、新しい異周波数セルの識別を完成する。
【０１９０】
ここで、３．８４Ｍｃｐｓ  ＴＤＤ端末がモニタリングセットセル内の新たに検出した一つの異周波数ＴＤＤセルを識別するのに必要な時間性能要求は下記のとおりである。
【０１９１】
【数４８】
2008539616.tif 000050
【０１９２】
式２３において、
ＴＩｎｔｅｒは、受信したＭＢＭＳサービスに対する復調性能要求の満足を前提として、ＴＤＤ端末により決定された使用できる異周波数測定時間であり、受信機変換時間を考慮すると、
ＴＩｎｔｅｒは、受信したＭＢＭＳサービスに対する復調性能要求の満足を前提として、ＴＤＤ端末により決定された使用できる異周波数測定時間から受信機変換時間を引いたものであり（単位ｍｓ）、
ここで、普通、受信機変換時間が受信機のハードウェア能力によって決定され、現在の一般の使用値＝２×０．５ｍｓ＝１ｍｓであり、
その他のパラメータは上記の従来技術の式８での相応解釈を参照する。
【０１９３】
ここで、１．２８Ｍｃｐｓ  ＴＤＤ端末がモニタリングセットセル内の新たに検出した一つの異周波数ＴＤＤセルを識別するのに必要な時間性能要求は下記のとおりである。
【０１９４】
【数４９】
2008539616.tif 000051
【０１９５】
式２４において、
ＮＩｎｔｅｒは、受信したＭＢＭＳサービスに対する復調性能要求の満足を前提として、ＴＤＤ端末により決定された使用できる異周波数測定時間に受信できる目標異周波数ＴＤＤセルのＰＣＣＰＣＨと  ＤｗＰＣＨの信号があるサブフレーム数であり、受信機変換時間を考慮すると、
ＮＩｎｔｅｒは、受信したＭＢＭＳサービスに対する復調性能要求の満足を前提として、ＴＤＤ端末により決定された使用できる異周波数測定時間から受信機変換時間を引いた時間に受信できる目標異周波数ＴＤＤセルのＰＣＣＰＣＨとＤｗＰＣＨの信号の位置する位置するサブフレーム数である。
ここで、受信機変換時間は一般に受信機のハードウェア能力によって決定され、現在の一般の使用値は２×０．５ｍｓ＝１ｍｓであり、
その他のパラメータは上記の従来技術の式９での相応解釈を参照する。
【０１９６】
５）ＴＤＤ端末は自身に記憶されたセル情報リストに、新たに識別したＴＤＤ異周波数セルを識別済みのＴＤＤ異周波数セルに標識する。
【０１９７】
また、ＭＢＭＳ  ＰＴＭサービスを受信したＴＤＤ端末が異周波数ＴＤＤセルに対してＰＣＣＰＣＨ測定を行う具体的なプロセスは以下のとおりである。
【０１９８】
１）ＴＤＤ端末はＵＴＲＡＮから送信されたシステム測定制御情報又はシステムブロードキャスト情報を受信し、異周波数ＴＤＤセルに対するＰＣＣＰＣＨ測定をトリガする。
【０１９９】
２）ＴＤＤ端末はアイドル時間及び／又は上記従来技術の式１により計算して得た測定時間内で一部分の時間を選択して、異周波数ＴＤＤセルのＰＣＣＰＣＨに対して測定を行う。
【０２００】
３）ＴＤＤ端末の物理層は、次式で計算して得た測定周期ＴＭｅａｓｕｒｅｍｅｎｔ，Ｉｎｔｅｒ内に、測定結果を上位層に報告する。
【０２０１】
ここで、３．８４Ｍｃｐｓ  ＴＤＤ端末の物理層は、次式で計算して得た測定周期ＴＭｅａｓｕｒｅｍｅｎｔ，ｉｎｔｅｒ内に、異周波数ＴＤＤセルに対するＰＣＣＰＣＨ測定結果を上位層に報告する。
【０２０２】
【数５０】
2008539616.tif 000052
【０２０３】
式２５において、
ＴＩｎｔｅｒは、受信したＭＢＭＳサービスに対する復調性能要求の満足を前提として、ＴＤＤ端末により決定された使用できる同周波数測定時間であり、受信機変換時間を考慮すると、
ＴＩｎｔｅｒは、受信したＭＢＭＳサービスに対する復調性能要求の満足を前提として、ＴＤＤ端末により決定された使用できる異周波数測定時間から受信機変換時間を引いたものであり（単位ｍｓ）、
ここで、普通、受信機変換時間が受信機のハードウェア能力によって決定され、現在の一般の使用値＝２×０．５ｍｓ＝１ｍｓであり、
その他のパラメータは上記の従来技術の式１０での相応解釈を参照する。
【０２０４】
ここで、１．２８Ｍｃｐｓ  ＴＤＤ端末の物理層は、次式で計算して得た測定周期ＴＭｅａｓｕｒｅｍｅｎｔ，ｉｎｔｅｒ内に、異周波数ＴＤＤセルに対するＰＣＣＰＣＨ測定結果を上位層に報告する。
【０２０５】
【数５１】
2008539616.tif 000053
【０２０６】
式２６において、
ＮＩｎｔｅｒは、受信したＭＢＭＳサービスに対する復調性能要求の満足を前提として、ＴＤＤ端末により決定された使用できる異周波数測定時間に受信できる目標異周波数ＴＤＤセルのＰＣＣＰＣＨとＤｗＰＣＨの信号があるサブフレーム数であり、受信機変換時間を考慮すると、
ＮＩｎｔｅｒは、受信したＭＢＭＳサービスに対する復調性能要求の満足を前提として、ＴＤＤ端末により決定された使用できる異周波数測定時間から受信機変換時間を引いた時間に受信できる目標異周波数ＴＤＤセルのＰＣＣＰＣＨとＤｗＰＣＨの信号があるサブフレーム数である。
【０２０７】
ここで、普通、受信機変換時間が受信機のハードウェア能力によって決定され、現在の一般の使用値＝２×０．５ｍｓ＝１ｍｓであり、
その他のパラメータは上記の従来技術の式１１での相応解釈を参照する。
【０２０８】
４）ＴＤＤ端末の上位層は物理層から報告された測定結果を内部アルゴリズムに用い（例えば、当該測定結果をセル再度選択アルゴリズムの入力パラメータとすることができる）、又は無線ネットワーク制御装置（ＲＮＣ：Ｒａｄｉｏ  Ｎｅｔｗｏｒｋ  Ｃｏｎｔｒｏｌｌｅｒ）に報告する。
【０２０９】
ここで、上記決定された測定性能要求によって、ＭＢＭＳ  ＰＴＭサービスを受信したＴＤＤ端末が新しいＷＣＤＭＡ  ＦＤＤセルを識別する具体的なプロセスは以下のとおりである。
【０２１０】
１）ＴＤＤ端末はＵＴＲＡＮから送信されたシステム測定制御情報を受信し、システム測定制御情報で指示されたＷＣＤＭＡ  ＦＤＤセル情報を読み取り、未識別のＷＣＤＭＡ  ＦＤＤセルの存在を発見する。
【０２１１】
２）ＴＤＤ端末は上記の未識別のＷＣＤＭＡ  ＦＤＤセルを検知する。
【０２１２】
３）ＴＤＤ端末はアイドル時間及び／又は従来技術の式１により計算して得た異周波数時間内の一部分の時間に異システムセル測定を行い、及び新しい異システムセルを識別する。
【０２１３】
４）ＴＤＤ端末は次式で計算して得た時間内に、新しい異システムＷＣＤＭＡ  ＦＤＤセルの識別を完成する。
【０２１４】
ここで、ＭＢＭＳ  ＰＴＭサービスを受信したＴＤＤ端末は、検出した、モニタリングセット内に属する新しい異システムＷＣＤＭＡ  ＦＤＤセルを識別するとき、次式で計算して得た識別時間Ｔｉｄｅｎｔｉｆｙ  ＦＤＤ  ｉｎｔｅｒ内に、新しい異システムＷＣＤＭＡ    ＦＤＤセルを識別する。
【０２１５】
ここで、３．８４Ｍｃｐｓ  ＴＤＤ端末がモニタリングセットセル内の新たに検出した一つの異システムＷＣＤＭＡ  ＦＤＤセルを識別するのに必要な時間性能要求は下記のとおりである。
【０２１６】
【数５２】
2008539616.tif 000054
【０２１７】
式２７において、
ＴＩｎｔｅｒは、受信したＭＢＭＳサービスに対する復調性能要求の満足を前提として、ＴＤＤ端末により決定された使用できる同周波数測定時間であり、受信機変換時間を考慮すると、
ＴＩｎｔｅｒは、受信したＭＢＭＳサービスに対する復調性能要求の満足を前提として、ＴＤＤ端末により決定された使用できる異周波数測定時間から受信機変換時間を引いたものであり（単位ｍｓ）、
ここで、普通、受信機変換時間が受信機のハードウェア能力によって決定され、現在の一般の使用値＝２×０．５ｍｓ＝１ｍｓであり、
その他のパラメータは上記の従来技術の式１２での相応解釈を参照する。
【０２１８】
ここで、１．２８Ｍｃｐｓ  ＴＤＤ端末がモニタリングセットセル内の新たに検出した一つの異システムＷＣＤＭＡ  ＦＤＤセルを識別するのに必要な時間性能要求は下記のとおりである。
【０２１９】
【数５３】
2008539616.tif 000055
式２８において、
【０２２０】
ＴＩｎｔｅｒは、受信したＭＢＭＳサービスに対する復調性能要求の満足を前提として、ＴＤＤ端末により決定された使用できる同周波数測定時間であり、受信機変換時間を考慮すると、
ＴＩｎｔｅｒは、受信したＭＢＭＳサービスに対する復調性能要求の満足を前提として、ＴＤＤ端末により決定された使用できる異周波数測定時間から受信機変換時間を引いたものであり（単位ｍｓ）、
ここで、普通、受信機変換時間が受信機のハードウェア能力によって決定され、現在の一般の使用値＝２×０．５ｍｓ＝１ｍｓであり、
その他のパラメータは上記の従来技術の式１３での相応解釈を参照する。
【０２２１】
５）ＴＤＤ端末は自身に記憶されたセル情報リストに、新たに識別したＷＣＤＭＡ  ＦＤＤセルを識別済みのＷＣＤＭＡ  ＦＤＤセルに標識する。
【０２２２】
また、ＭＢＭＳ  ＰＴＭサービスを受信したＴＤＤ端末が異システムＷＣＤＭＡ  ＦＤＤセルに対してＣＰＩＣＨ測定を行い、及びＣＰＩＣＨ測定結果を報告する具体的なプロセスは以下のとおりである。
【０２２３】
１）ＴＤＤ端末はＵＴＲＡＮから送信されたシステム測定制御情報又はシステムブロードキャスト情報を受信し、異システムＷＣＤＭＡ  ＦＤＤセルに対するＣＰＩＣＨ測定をトリガする。
【０２２４】
２）ＴＤＤ端末はアイドル時間及び／又は上記従来技術の式１により計算して得た測定時間内に、一部分の時間を選択して、異システムＷＣＤＭＡ  ＦＤＤセルに対してＣＰＩＣＨ測定を行う。
【０２２５】
３）次式で計算して得た測定周期ＴＭｅａｓｕｒｅｍｅｎｔ，ＦＤＤ  Ｉｎｔｅｒ内に、ＴＤＤ端末の物理層はＣＰＩＣＨ測定結果を上位層に報告する。
【０２２６】
ここで、３．８４Ｍｃｐｓ  ＴＤＤ端末の物理層は次式で計算して得た測定周期ＴＭｅａｓｕｒｅｍｅｎｔ  ＦＤＤ，ｉｎｔｅｒ内に、異システムＷＣＤＭＡ  ＦＤＤセルに対するＣＰＩＣＨ測定結果を上位層に報告する。
【０２２７】
【数５４】
2008539616.tif 000056
【０２２８】
式２９において、
ＴＩｎｔｅｒは、受信したＭＢＭＳサービスに対する復調性能要求の満足を前提として、ＴＤＤ端末により決定された使用できる異周波数測定時間であり、受信機変換時間を考慮すると、
ＴＩｎｔｅｒは、受信したＭＢＭＳサービスに対する復調性能要求の満足を前提として、ＴＤＤ端末により決定された使用できる異周波数測定時間から受信機変換時間を引いたものであり（単位ｍｓ）、
ここで、普通、受信機変換時間が受信機のハードウェア能力によって決定され、現在の一般の使用値＝２×０．５ｍｓ＝１ｍｓであり、
その他のパラメータは上記の従来技術の式１４での相応解釈を参照する。
【０２２９】
ここで、１．２８Ｍｃｐｓ  ＴＤＤ端末の物理層は次式で計算して得た測定周期ＴＭｅａｓｕｒｅｍｅｎｔ  ＦＤＤ  ｉｎｔｅｒ内に、異システムＷＣＤＭＡ  ＦＤＤセルに対するＣＰＩＣＨ測定結果を上位層に報告する。
【０２３０】
【数５５】
2008539616.tif 000057
【０２３１】
式３０において、
ＴＩｎｔｅｒは、受信したＭＢＭＳサービスに対する復調性能要求の満足を前提として、ＴＤＤ端末により決定された使用できる異周波数測定時間であり、受信機変換時間を考慮すると、
ＴＩｎｔｅｒは、受信したＭＢＭＳサービスに対する復調性能要求の満足を前提として、ＴＤＤ端末により決定された使用できる異周波数測定時間から受信機変換時間を引いたものであり（単位ｍｓ）、
ここで、普通、受信機変換時間が受信機のハードウェア能力によって決定され、現在の一般の使用値＝２×０．５ｍｓ＝１ｍｓであり、
その他のパラメータは上記の従来技術の式１５での相応解釈を参照する。
【０２３２】
４）ＴＤＤ端末の上位層は物理層から報告された測定結果を内部アルゴリズムに用い（例えば、当該測定結果をセル再度選択アルゴリズムの入力パラメータとすることができる）、又は無線ネットワーク制御装置（ＲＮＣ：Ｒａｄｉｏ  Ｎｅｔｗｏｒｋ  Ｃｏｎｔｒｏｌｌｅｒ）に報告する。
本発明に提出された測定性能要求の決定方法は、以下の場合に応用されることもできる。ブロードキャストマルチキャスト情報の受信状態にあるＴＤＤ端末が同周波数セルを測定するとき、ブロードキャストマルチキャスト情報（例えば、ＭＢＭＳ  ＰＴＭサービス又はＭＣＣＨ情報）に対する復調性能要求を総合的に考慮して、相応の測定性能要求を決定することによって、受信したブロードキャストマルチキャスト情報に対する復調性能要求を満たす上で、測定性能要求の時間内に新しいセルの識別又は測定結果の上位層への報告を完成する。
【０２３３】
ここで、１．２８Ｍｃｐｓ  ＴＤＤ端末は下記のような式で計算して得た時間Ｔｉｄｅｎｔｉｆｙ，ｉｎｔｒａ内に新しい同周波数セルの識別を完成する。
【０２３４】
【数５６】
2008539616.tif 000058
【０２３５】
式３１において、
Ｔｂａｓｉｃ  ｉｄｅｎｔｉｆｙ  ＴＤＤ，ｉｎｔｒａ  ＝  ８００ｍｓ、
Ｎｐｅｒｉｏｄ，ｉｎｔｒａ＝４０ｍｓ、
Ｎｉｎｔｒａは、受信したＭＢＭＳサービスに対する復調性能要求の満足を前提として決定された使用できる同周波数測定時間に受信できる目標異周波数ＴＤＤセルのＰＣＣＰＣＨとＤｗＰＣＨの信号があるサブフレーム数である。
【０２３６】
また、１．２８Ｍｃｐｓ  ＴＤＤ端末は同周波数の測定結果を上位層に報告し、その報告周期は固定の２００ｍｓであるが、報告測定ＰＣＣＰＣＨの報告セル数は次式によって決定される。
【０２３７】
【数５７】
2008539616.tif 000059
【０２３８】
式３２において、Ｔｂａｓｉｃ  ｉｄｅｎｔｉｆｙ  ＴＤＤ＝  ８であり、その他の各パラメータの意味は上記と式３１の相応の解釈を参照する。
【０２３９】
ここで、上記決定された測定性能要求によって、ＭＢＭＳ  ＰＴＭサービスを受信したＴＤＤ端末がＧＳＭセルに対して測定を実行する具体的なプロセスは以下のとおりである。
【０２４０】
１）ＴＤＤ端末はＵＴＲＡＮから送信されたシステム測定制御情報を受信し、システム測定制御情報で指示されたＧＳＭセル情報を読み取り、未識別の異システムＧＳＭセルが存在すること、又は識別済みの異システムＧＳＭセルの受信信号を測定する必要があることを発見する。
【０２４１】
２）ＴＤＤ端末は上記の未識別の異システムＧＳＭセルを検知し、又は上記の識別済みの異システムＧＳＭセルの受信信号を測定する。
【０２４２】
３）ＴＤＤ端末はアイドル時間及び／又は上記従来技術の式１により計算して得た時間内で一部分の測定時間を選択して異システムＧＳＭセルを測定することによって、上記２）で検知された未識別の異システムＧＳＭセルを識別し、又は識別済みの異システムＧＳＭセルの受信信号を測定する。ここで、選択された具体的な測定時間は、受信したＭＢＭＳに対する復調性能を保証する場合で決定された使用できる一部分の異周波数測定時間であり、受信機変換プロセスがある場合、決定された具体的な測定時間は、決定された使用できる異周波数測定時間から受信機変換時間（ここで、受信機変換時間が受信機のハードウェア能力によって決定され、一般に、受信機変換時間の常用値は１ｍｓである）を引いたものである。
【０２４３】
４）ＴＤＤ端末は自身に記憶されたセル情報リストに、上記新たに識別した異システムＧＳＭセルを識別済みの異周波数セルに標識し、又は識別済みの異システムＧＳＭセルを測定する受信信号の品質を報告する。
【０２４４】
ここで、上記のようなプロセスは、ＭＢＭＳ  ＰＴＭサービスを受信したＴＤＤ端末がＧＳＭセルのＧＳＭ搬送波受信信号強度表示信号（ＲＳＳＩ：Ｒｅｃｅｉｖｅｄ  Ｓｉｇｎａｌ  Ｓｔｒｅｎｇｔｈ  Ｉｎｄｉｃａｔｏｒ）に対する測定、又はＧＳＭ初期ＢＳＩＣ（Ｂａｓｅ  ｔｒａｎｓｃｅｉｖｅｒ  Ｓｔａｔｉｏｎ  Ｉｄｅｎｔｉｔｙ  Ｃｏｄｅ）識別、又はＧＳＭ  ＢＳＩＣの再度認証プロセスに適用することができる。
【０２４５】
本分野の技術者が本発明の精神と請求の範囲を逸脱せずに、本発明に対して様々な修正と改善を行うことができることが明らかである。ここで、本発明のこのような改正と変更が本発明の特許請求の範囲及びその均等技術の範囲内に属する場合、本発明はこのような修正と改善を含むことも図る。
【図面の簡単な説明】
【０２４６】
【図１】本発明に係る測定性能の決定方法を採用した後、ＦＤＤ端末が異周波数セルに対する識別のプロセスを示す図である。
【図２】本発明に係る測定性能要求の決定方法を採用した後、ＦＤＤ端末が、異周波数セルのＣＰＩＣＨを測定して得られたＣＰＩＣＨ測定結果を端末の上位層に報告する実現プロセスを示すフローチャートである。
【図３】本発明に係る測定性能要求の決定方法原理を採用した後、ＦＤＤ端末が異システムＷＣＤＭＡ  ＴＤＤセルを識別する処理プロセスを示す図である。
【図４】本発明に係る測定性能要求の決定方法原理を採用した後、ＦＤＤ端末が、異システムＷＣＤＭＡ  ＴＤＤセルに対してＰＣＣＰＣＨ  ＲＳＣＰ測定を行って得られたＰＣＣＰＣＨ  ＲＳＣＰ測定結果を端末の上位層に報告する実現プロセスを示すフローチャートである。
【図５】本発明に係る測定性能要求の決定方法原理を採用した後、ＦＤＤ端末が異システムＧＳＭセルを識別する処理プロセスを示す図である。
【符号の説明】
【０２４７】
１０  ステップ１０
１１  ステップ１１
１２  ステップ１２
１３  ステップ１３
１４  ステップ１４
【図１】
2008539616.tif 000085
【図２】
2008539616.tif 000086
【図３】
2008539616.tif 000087
【図４】
2008539616.tif 000088
【図５】
2008539616.tif 000089
【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
ブロードキャストマルチキャスト情報を受信する端末の異周波数／異システムの測定方法であって、受信したブロードキャストマルチキャスト情報に対する復調性能要求の満足を確保することを根拠として、
異周波数／異システムセルに対して異周波数／異システム測定を実行することを特徴とする方法。
【請求項２】
前記異周波数／異システムセルに対して異周波数／異システム測定を実行することは、
一部分の異周波数／異システム測定時間の中で異周波数／異システムセルに対して異周波数／異システム測定を実行することを含むことを特徴とする請求項１に記載の方法。
【請求項３】
前記一部分の異周波数／異システム測定時間は、ＮＴＴＩ個フレームの測定間隔の循環周期の一部分であり、ブロードキャストマルチキャスト情報の最大伝送時間間隔の一部分に対応し、前記ＮＴＴＩは、モニターした、非ＭＢＭＳ論理チャネルを搭載するＳＣＣＰＣＨでＦＡＣＨのＴＴＩを１０ｍで割ったものに等しいことを特徴とする請求項２に記載の方法。
【請求項４】
前記異周波数／異システム測定時間が、
ＴＤＤ端末のアイドル時間、及び／又は
ＴＤＤ端末がＣＥＬＬ＿ＦＡＣＨ状態で、下記のような式により決定された測定時間を含み、
ＳＦＮ＝（Ｃ＿ＲＮＴＩ  ｍｏｄ  Ｍ＿ＲＥＰ  ＋  ｎ×Ｍ＿ＲＥＰ）×Ｎ
ここで、前記ＴＤＤ端末は上記の式を満たすＳＦＮのフレームで異周波数／異システム測定を実行し、
Ｎは、ＴＤＤ端末がモニターした、非マルチメディアブロードキャストマルチキャストサービス論理チャネルを搭載するＳＣＣＰＣＨで最大ＴＴＩを有するフォワードアクセスチャネルの伝送時間間隔を１０ｍで割ったものであり、
Ｍ＿ＲＥＰは測定間隔循環周期であり、
Ｍ＿ＲＥＰ  ＝  ２ｋ、一つのＮフレームの測定時間の繰り返す周期はＮ×Ｍ＿ＲＥＰフレームであり、
ここで、ｋはフォワードアクセスチャネル測定間隔循環周期の係数であり、
システム情報１１又は１２に含まれたフォワードアクセスチャネル測定時刻情報で読取られ、
Ｃ＿ＲＮＴＩはＴＤＤ端末の無線ネットワーク臨時標識値であり、
ｎ  ＝  ０，１，２…，ＳＦＮがその最大値より低ければいいことを特徴とする請求項３に記載の方法。
【請求項５】
前記異周波数／異システム測定時間が、ＦＤＤ端末がＣＥＬＬ＿ＦＡＣＨ状態で、下記のような式により決定された測定時間であり、
ＳＦＮ＝（Ｃ＿ＲＮＴＩ  ｍｏｄ  Ｍ＿ＲＥＰ  ＋  ｎ×Ｍ＿ＲＥＰ）×Ｎ
ここで、前記ＦＤＤ端末は上記の式を満たすＳＦＮのフレームで異周波数／異システム測定を実行し、
Ｎは、ＦＤＤ端末がモニターした、非マルチメディアブロードキャストマルチキャストサービス論理チャネルを搭載するＳＣＣＰＣＨで最大ＴＴＩを有するフォワードアクセスチャネルの伝送時間間隔を１０ｍで割ったものであり、
Ｍ＿ＲＥＰは測定間隔循環周期であり、Ｍ＿ＲＥＰ  ＝  ２ｋ、一つのＮフレームの測定時間の繰り返す周期はＮ×Ｍ＿ＲＥＰフレームであり、ここで、ｋはフォワードアクセスチャネル測定間隔循環周期の係数であり、システム情報１１又は１２に含まれたフォワードアクセスチャネル測定時刻情報で読取られ、
Ｃ＿ＲＮＴＩはＦＤＤ端末の無線ネットワーク臨時標識値であり、
ｎ  ＝  ０，１，２…，ＳＦＮがその最大値より低ければいいことを特徴とする請求項３に記載の方法。
【請求項６】
前記ブロードキャストマルチキャスト情報の伝送時間間隔の一部分がブロードキャストマルチキャスト情報の最大伝送時間間隔の２５％であることを特徴とする請求項５に記載の方法。
【請求項７】
ブロードキャストマルチキャスト情報を受信する端末の測定性能要求の決定方法であって、
受信したブロードキャストマルチキャスト情報に対する復調性能要求の満足を確保する異周波数／異システムの測定時間を決定し、
前記異周波数／異システムの測定時間に基づいて測定性能要求を決定することを特徴とする方法。
【請求項８】
前記異周波数／異システム測定時間は、ＮＴＴＩ個フレームの測定間隔の循環周期の一部分であり、ブロードキャストマルチキャスト情報の最大伝送時間間隔の一部分に対応し、前記ＮＴＴＩは、端末がモニターした、非ＭＢＭＳ論理チャネルを搭載するＳＣＣＰＣＨで最大ＴＴＩを有するＦＡＣＨのＴＴＩを１０ｍで割ったものに等しいことを特徴とする請求項７に記載の方法。
【請求項９】
前記測定性能要求が、
ユーザ端末が新しいセルを識別する識別時間、及び／又は
ユーザ端末の物理層がセル測定処理を実行した測定結果を上位層に報告する報告時間要求を含むことを特徴とする請求項８に記載の方法。
【請求項１０】
前記識別時間が、受信したブロードキャストマルチキャスト情報に対する復調性能要求を満足できる測定時間、又は受信したブロードキャストマルチキャスト情報に対する復調性能要求を満足できる測定時間から受信機変換時間を引いた時間に基づいて決定されることを特徴とする請求項９に記載の方法。
【請求項１１】
前記識別時間が、受信したブロードキャストマルチキャスト情報に対する復調性能要求を満足できる測定時間、又は受信したブロードキャストマルチキャスト情報に対する復調性能要求を満足できる測定時間から受信機変換時間を引いた時間に受信できる目標セルブロードキャスト信号及び／又はパイロット信号があるフレーム又はサブフレームの数に基づいて決定されることを特徴とする請求項９に記載の方法。
【請求項１２】
前記報告時間が、受信したブロードキャストマルチキャスト情報に対する復調性能要求を満足できる測定時間、又は受信したブロードキャストマルチキャスト情報に対する復調性能要求を満足できる測定時間から受信機変換時間を引いた時間に基づいて決定されることを特徴とする請求項９に記載の方法。
【請求項１３】
前記報告時間が、受信したブロードキャストマルチキャスト情報に対する復調性能要求を満足できる測定時間、又は受信したブロードキャストマルチキャスト情報に対する復調性能要求を満足できる測定時間から受信機変換時間を引いた時間に受信できる目標セルブロードキャスト信号及び／又はパイロット信号があるフレーム又はサブフレームの数に基づいて決定されることを特徴とする請求項９に記載の方法。
【請求項１４】
前記ユーザ端末がＦＤＤ端末であり、前記新しいセルが当該ＦＤＤ端末の異周波数セルであり、且つＦＤＤ端末により決定された識別時間は、次式によって決定され、
【数１】
2008539616.tif 000090
ここで、Ｔｉｄｅｎｔｉｆｙ，ｉｎｔｅｒはＦＤＤ端末が異周波数セルを識別する識別時間であり、
Ｔｂａｓｉｃ＿ｉｄｅｎｔｉｆｙ＿ＦＤＤ，ｉｎｔｅｒはＦＤＤ端末が異周波数セルを識別する最大許可時間であり、
ＮＦｒｅｑ，ＦＤＤはアクセスネットワークに送信されたシステム測定制御情報での異周波数セル情報リストに含まれたＦＤＤ周波数の数であり、
【数２】
2008539616.tif 000091
ここで、ＮＴＴＩは、ＦＤＤ端末がモニターした、非ＭＢＭＳ論理チャネルを搭載する  ＳＣＣＰＣＨで最大伝送時間間隔ＴＴＩを有するＦＡＣＨのＴＴＩを１０ｍで割ったもの等しく、
Ｍ＿ＲＥＰは測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、受信したＭＢＭＳに対する復調性能を保証する場合で、ＦＤＤ端末により決定された使用できる異周波数測定時間であり、受信機変換の時間を考慮すると、ＴＩｎｔｅｒは、受信したＭＢＭＳサービスに対する復調性能要求の保証を前提として、ＦＤＤ端末により決定された使用できる異周波数測定時間から受信機変換時間を引いたものであることを特徴とする請求項１０に記載の方法。
【請求項１５】
前記ユーザ端末がＦＤＤ端末であり、前記新しいセルが当該ＦＤＤ端末の異周波数セルであり、且つＦＤＤ端末により決定された報告時間は、次式によって計算され、即ち、報告時間は、
【数３】
2008539616.tif 000092
ＮＦｒｅｑ，ＦＤＤはアクセスネットワークに送信されたシステム測定制御情報での異周波数セル情報リストに含まれたＦＤＤ周波数の数であり、
【数４】
2008539616.tif 000093
ここで、ＮＴＴＩは、ＦＤＤ端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰは測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、受信したＭＢＭＳに対する復調性能を保証する場合で、ＴＤＤ端末により決定された使用できる異周波数測定時間であり、又は受信したＭＢＭＳサービスに対する復調性能要求の満足を前提としてＴＤＤ端末により決定された使用できる異周波数測定  時間から受信機変換時間を引いたものであることを特徴とする請求項１２に記載の方法。
【請求項１６】
前記端末がＦＤＤ端末であり、前記新しいセルが異システムＷＣＤＭＡ  ＴＤＤセルであり、且つＦＤＤ端末により決定された識別時間は、下記の式によって決定され、即ち、識別時間は、
【数５】
2008539616.tif 000094
Ｔｂａｓｉｃ＿ｉｄｅｎｔｉｆｙ＿ＴＤＤ，ｉｎｔｅｒはＦＤＤ端末が異システムＷＣＤＭＡ  ＴＤＤセルを識別する最大許可時間であり、
ＮＦｒｅｑ，ＴＤＤはアクセスネットワークに送信されたシステム測定制御情報での異周波数セル情報リストに含まれたＴＤＤ周波数の数であり、
【数６】
2008539616.tif 000095
ここで、ＮＴＴＩは、ＦＤＤ端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰは測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、端末が受信したＭＢＭＳに対する復調性能を保証しているとき、決定された使用できる異システム測定時間であり、又は端末が受信したＭＢＭＳサービスに対する復調性能要求を保証しているとき、決定された使用できる異システム測定時間から受信機変換時間を引いたものであることを特徴とする請求項１０に記載の方法。
【請求項１７】
前記端末がＦＤＤ端末であり、前記セルが異システムＷＣＤＭＡ  ＴＤＤセルであり、且つＦＤＤ端末により決定された報告時間は、次式によって決定され、即ち、報告時間は、
【数７】
2008539616.tif 000096
上記の式において、Ｔｂａｓｉｃ＿ｍｅａｓｕｒｅｍｅｎｔ＿ＴＤＤ，ｉｎｔｅｒ＝  ５０  ｍｓ、
ＴＭｅａｓｕｒｅｍｅｎｔ＿Ｐｅｒｉｏｄ＿ＴＤＤ，ｉｎｔｅｒ  ＝  ４８０  ｍｓ、
【数８】
2008539616.tif 000097
ここで、ＮＴＴＩは、ＦＤＤ端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＮＦｒｅｑ，ＴＤＤはＵＴＲＡＮに送信されたシステム測定制御情報での異周波数セル情報リストに含まれたＴＤＤ周波数の数であり、
ＴＩｎｔｅｒは、ＦＤＤ端末が受信したＭＢＭＳに対する復調性能を保証しているとき、決定された使用できる異システム測定時間であり、又はＦＤＤ端末が受信したＭＢＭＳサービスに対する復調性能要求の満足を前提として、決定された使用できる異システム測定時間から受信機変換時間を引いたものであることを特徴とする請求項１２に記載の方法。
【請求項１８】
前記ユーザ端末がＦＤＤ端末であり、前記新しいセルが当該ＦＤＤ端末の同周波数セルであり、且つＦＤＤ端末により決定された識別時間は、次式によって決定され、即ち、識別時間は、
【数９】
2008539616.tif 000098
上記の式において、
【数１０】
2008539616.tif 000099
ＮＴＴＩは、ＦＤＤ端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
Ｔintγαは、ＦＤＤ端末が受信したＭＢＭＳサービスに対する復調性能要求の満足を前提として、決定された使用できる同周波数測定時間であり、又はＦＤＤ端末が受信したＭＢＭＳサービスに対する復調性能要求の満足を前提として、決定された使用できる同周波数測定時間から受信機変換時間を引いたものであることを特徴とする請求項１０に記載の方法。
【請求項１９】
前記測定性能要求が報告セルの数を更に含み、前記端末がＦＤＤ端末であり、前記セルが当該ＦＤＤ端末の同周波数セルであり、且つＦＤＤ端末により決定された報告時間は２００ｍｓであり、前記報告セルの数は、次式によって計算され、即ち、報告時間は、
【数１１】
2008539616.tif 000100
ここで、Ｘｂａｓｉｃ ｍｅａｓｕｒｅｍｅｎｔ ＦＤＤ＝  ８、
ＴＭｅａｓｕｍｅｎｔ_ＰｅｒｉｏｄＩｎｔｒａが同周波数測定周期であり、
Ｔｉｎ＝ＮＴＴＩ×１０は、受信したＭＢＭＳサービスに対する復調性能を保証しているとき、決定された使用できる異周波数／異システム測定時間であり、又は受信したＭＢＭＳサービスに対する復調性能を保証しているとき、決定された使用できる異周波数／異システム測定時間から受信機変換時間を引いたものであることを特徴とする請求項９に記載の方法。
【請求項２０】
前記端末が３．８４Ｍｃｐｓ  ＴＤＤ端末であり、前記新しいセルが当該ＴＤＤ端末の異周波数ＴＤＤセルであり、且つ端末により決定された識別時間は、次式によって決定され、即ち、
【数１２】
2008539616.tif 000101
ここで、Ｔｂａｓｉｃ＿ｉｄｅｎｔｉｆｙ＿ＴＤＤ，ｉｎｔｅｒはＴＤＤ端末が異周波数セルを識別する最大許可時間であり、
ＮＦｒｅｑ，ＴＤＤはアクセスネットワークに送信されたシステム測定制御情報での異周波数セル情報リストに含まれたＴＤＤ周波数の数であり、
【数１３】
2008539616.tif 000102
ここで、ＮＴＴＩは、端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、受信したＭＢＭＳサービスに対する復調性能要求の満足を前提として、ＴＤＤ端末により決定された使用できる異周波数測定時間であり、又は受信したＭＢＭＳサービスに対する復調性能要求の満足を前提として、ＴＤＤ端末により決定された使用できる異周波数測定時間から受信機変換時間を引いたものであることを特徴とする請求項１０に記載の方法。
【請求項２１】
前記端末が１．２８Ｍｃｐｓ  ＴＤＤ端末であり、前記新しいセルが当該  ＴＤＤ端末の異周波数セルであり、且つ端末により決定された識別時間は、次式によって決定され、即ち、
【数１４】
2008539616.tif 000103
ここで、Ｔｂａｓｉｃ＿ｉｄｅｎｔｉｆｙ＿ＴＤＤ，ｉｎｔｅｒはＴＤＤ端末が異周波数セルを識別する最大許可時間であり、
ＴＭｅａｓｕｒｅｍｅｎｔ＿Ｐｅｒｉｏｄ  Ｉｎｔｅｒ＝４８０ｍｓ、
ＮＦｒｅｑはＵＴＲＡＮによって指示されたシステム測定制御情報での異周波数セル情報リストに含まれたＴＤＤ周波数の数であり、
ＮＩｎｔｅｒは、受信したＭＢＭＳサービスに対する復調性能要求の満足を前提として、ＴＤＤ端末により決定された使用できる異周波数測定時間に受信できる目標異周波数ＴＤＤセルのＰＣＣＰＣＨとＤｗＰＣＨの信号があるサブフレーム数であり、又は、受信したＭＢＭＳサービスに対する復調性能要求の満足を前提として、ＴＤＤ端末により決定された使用できる異周波数測定時間から受信機変換時間を引いた時間に受信できる目標異周波数ＴＤＤセルのＰＣＣＰＣＨとＤｗＰＣＨの信号があるサブフレーム数であることを特徴とする請求項１１に記載の方法。
【請求項２２】
前記端末が３．８４Ｍｃｐｓ  ＴＤＤ端末であり、前記セルが当該ＴＤＤ端末の異周波数セルであり、且つ端末により決定された報告時間は、次式によって計算され、即ち、報告時間は、
【数１５】
2008539616.tif 000104
ここで、Ｔｂａｓｉｃ  ｍｅａｓｕｒｅｍｅｎｔ  ＴＤＤ，ｉｎｔｅｒ＝５０ｍｓ、
ＴＭｅａｓｕｒｅｍｅｎｔ  Ｐｅｒｉｏｄ  ＴＤＤ  Ｉｎｔｅｒ＝４８０ｍｓ、
ＮＦｒｅｑはＵＴＲＡＮによって指示されたシステム測定制御情報での異周波数セル情報リストに含まれたＴＤＤ周波数の数であり、
【数１６】
2008539616.tif 000105
ここで、ＮＴＴＩは、端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、受信したＭＢＭＳサービスに対する復調性能要求の満足を前提として、ＴＤＤ端末により決定された使用できる異周波数測定時間であり、又は、受信したＭＢＭＳサービスに対する復調性能要求の満足を前提として、ＴＤＤ端末により決定された使用できる異周波数測定時間から受信機変換時間を引いたものであることを特徴とする請求項１２に記載の方法。
【請求項２３】
前記端末が１．２８Ｍｃｐｓ  ＴＤＤ端末であり、前記セルが当該ＴＤＤ端末の異周波数セルであり、且つ端末により決定された報告時間は、次式によって計算され、即ち、報告時間は、
【数１７】
2008539616.tif 000106
ここで、ＴＭｅａｓｕｒｅｍｅｎｔ＿Ｐｅｒｉｏｄ  Ｉｎｔｅｒ＝４８０ｍｓ、
Ｔｂａｓｉｃ＿ｍｅａｓｕｒｅｍｅｎｔ＿ＴＤＤ  ｉｎｔｅｒ＝５０ｍｓ、
ＮＦｒｅｑはＵＴＲＡＮによって指示されたシステム測定制御情報での異周波数セル情報リストに含まれたＴＤＤ周波数の数であり、
ＮＩｎｔｅｒは、受信したＭＢＭＳサービスに対する復調性能要求の満足を前提として、ＴＤＤ端末により決定された使用できる異周波数測定時間に受信できる目標異周波数ＴＤＤセルのＰＣＣＰＣＨとＤｗＰＣＨの信号があるサブフレーム数であり、又は、受信したＭＢＭＳサービスに対する復調性能要求の満足を前提として、ＴＤＤ端末により決定された使用できる異周波数測定時間から受信機変換時間を引いた時間に受信できる目標異周波数ＴＤＤセルのＰＣＣＰＣＨとＤｗＰＣＨの信号があるサブフレーム数であることを特徴とする請求項１３に記載の方法。
【請求項２４】
前記端末が３．８４Ｍｃｐｓ  ＴＤＤ端末であり、前記新しいセル葉がＷＣＤＭＡ  ＦＤＤセルであり、且つ端末により決定された識別時間は、次式によって決定され、即ち、識別時間は、
【数１８】
2008539616.tif 000107
上記の式において、Ｔｂａｓｉｃ＿ｉｄｅｎｔｉｆｙ＿ＦＤＤ，ｉｎｔｅｒ＝８００ｍｓはＴＤＤ端末が新しいＷＣＤＭＡ  ＦＤＤセルを識別するのに必要な許可時間であり、
【数１９】
2008539616.tif 000108
ここで、ＮＴＴＩは、端末がモニターした、非ＭＢＭＳ論理チャネルを搭載するＳＣＣＰＣＨで、最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＮＦｒｅｑ，ＦＤＤはＵＴＲＡＮによって指示されたシステム測定制御情報での異周波数セル情報リストに含まれたＦＤＤ周波数の数であり、
ＴＩｎｔｅｒは、受信したＭＢＭＳサービスに対する復調性能要求の満足を前提として、ＴＤＤ端末により決定された使用できる異周波数測定時間であり、又は、受信したＭＢＭＳサービスに対する復調性能要求の満足を前提として、ＴＤＤ端末により決定された使用できる異周波数測定時間から受信機変換時間を引いたものであることを特徴とする請求項１０に記載の方法。
【請求項２５】
前記端末が１．２８Ｍｃｐｓ  ＴＤＤ端末であり、前記新しいセルがＷＣＤＭＡ  ＦＤＤセルであり、且つ端末により決定された識別時間は、次式によって決定され、即ち、識別時間は、
【数２０】
2008539616.tif 000109
Ｔｂａｓｉｃ＿ｉｄｅｎｔｉｆｙ＿ＦＤＤ，ｉｎｔｅｒ  ＝  ８００  ｍｓは端末が新しいＦＤＤセルを識別するのに必要な許可時間であり、
ＴＭｅａｓｕｒｅｍｅｎｔ＿Ｐｅｒｉｏｄ  ＦＤＤ  ｉｎｔｅｒ  ＝  ４８０ｍｓ、
ＮＦｒｅｑ，はＵＴＲＡＮによって指示されたシステム測定制御情報での異周波数セル情報リストに含まれたＦＤＤ周波数の数であり、
ＴＩｎｔｅｒは、受信したＭＢＭＳサービスに対する復調性能要求の満足を前提として、ＴＤＤ端末により決定された使用できる異周波数測定時間であり、又は、受信したＭＢＭＳサービスに対する復調性能要求の満足を前提として、ＴＤＤ端末により決定された使用できる異周波数測定時間から受信機変換時間を引いたものであることを特徴とする請求項１０に記載の方法。
【請求項２６】
前記端末が３．８４  Ｍｃｐｓ  ＴＤＤ端末であり、前記セルが異システムＷＣＤＭＡ  ＴＤＤセルであり、且つＴＤＤ端末により決定された報告時間は、次式によって計算され、即ち、報告時間は、
【数２１】
2008539616.tif 000110
ここで、Ｔｂａｓｉｃ＿ｍｅａｓｕｒｅｍｅｎｔ＿ＦＤＤ  ｉｎｔｅｒ＝  ５０ｍｓ、
ＴＭｅａｓｕｒｅｍｅｎｔ＿Ｐｅｒｉｏｄ  ＦＤＤ  ｉｎｔｅｒ  ＝  ４８０ｍｓ、
ＮＦｒｅｑ，ＴＤＤはアクセスネットワークに送信されたシステム測定制御情報での異周波数セル情報リストに含まれたＴＤＤ周波数の数であり、
【数２２】
2008539616.tif 000111
ここで、ＮＴＴＩは、端末がモニターした、非ＭＢＭＳ論理チャネルを搭載するＳＣＣＰＣＨで最大ＴＴＩを有するＦＡＣＨのＴＴＩを１０ｍで割ったものに等しく、
Ｍ＿ＲＥＰが測定間隔循環周期であり、Ｍ＿ＲＥＰ  ＝  ２ｋ、ここでｋはＦＡＣＨ測定間隔循環周期の係数であり、
ＮＦＤＤ  は０又は１に等しく、隣接セル情報リストにＦＤＤ異周波数セルがある場合、ＮＦＤＤ＝１、そうでない場合、ＮＦＤＤ＝０であり、
ＮＴＤＤ  は０又は１に等しく、隣接セル情報リストにＴＤＤ異周波数セルがある場合、ＮＴＤＤ＝１、そうでない場合、ＮＴＤＤ＝０であり、
ＮＧＳＭは０又は１に等しく、隣接セル情報リストにＧＳＭ異周波数セルがある場合、ＮＧＳＭ＝１、そうでない場合、ＮＧＳＭ＝０であり、
ＴＩｎｔｅｒは、受信したＭＢＭＳサービスに対する復調性能要求の満足を前提として、ＴＤＤ端末により決定された使用できる異周波数測定時間であり、又は受信したＭＢＭＳサービスに対する復調性能要求の満足を前提として、ＴＤＤ端末により決定された使用できる異周波数測定時間から受信機変換時間を引いたものであることを特徴とする請求項１２に記載の方法。
【請求項２７】
前記端末が１．２８  Ｍｃｐｓ  ＴＤＤ端末であり、前記セルが異システムＷＣＤＭＡ  ＴＤＤセルであり、且つＴＤＤ端末により決定された報告時間は、次式によって計算され、即ち、報告時間は、
【数２３】
2008539616.tif 000112
ここで、ＴＭｅａｓｕｒｅｍｅｎｔ＿Ｐｅｒｉｏｄ  ＦＤＤ  ｉｎｔｅｒ  ＝  ４８０ｍｓ、
Ｔｂａｓｉｃ＿ｍｅａｓｕｒｅｍｅｎｔ＿ＦＤＤ  ｉｎｔｅｒ＝５０ｍｓ、
ＮＦｒｅｑはＵＴＲＡＮによって指示されたシステム測定制御情報での異周波数セル情報リストに含まれたＴＤＤ周波数の数であり、
ＴＩｎｔｅｒは、受信したＭＢＭＳサービスに対する復調性能要求の満足を前提として、ＴＤＤ端末により決定された使用できる異周波数測定時間であり、又は受信したＭＢＭＳサービスに対する復調性能要求の満足を前提として、ＴＤＤ端末により決定された使用できる異周波数測定時間から受信機変換時間を引いたものであることを特徴とする請求項１２に記載の方法。
【請求項２８】
前記端末がＴＤＤ端末であり、前記新しいセルが当該ＴＤＤ端末の同周波数セルであり、且つ端末により決定された識別時間は、次式によって決定され、
【数２４】
2008539616.tif 000113
ここで、Ｔｂａｓｉｃ  ｉｄｅｎｔｉｆｙ  ＴＤＤ，ｉｎｔｒａ  ＝  ８００ｍｓ、
Ｎｐｅｒｉｏｄ，ｉｎｔｒａ＝４０ｍｓ、
Ｎｉｎｔｒａは、受信したＭＢＭＳサービスに対する復調性能要求の満足を前提として、決定された使用できる同周波数測定時間で、受信できる目標異周波数ＴＤＤセルのＰＣＣＰＣＨとＤｗＰＣＨの信号があるサブフレーム数であることを特徴とする請求項１３に記載の方法。
【請求項２９】
前記測定性能要求が報告セルの数を更に含み、前記端末がＴＤＤ端末であり、前記新しいセルが当該ＴＤＤ端末の同周波数セルであり、且つ端末により決定された報告時間は２００ｍｓであり、前記報告セルの数は次式によって計算され、
【数２５】
2008539616.tif 000114
ここで、Ｘｂａｓｉｃ ｍｅａｓｕｒｅｍｅｎｔ ＴＤＤ＝  ８、
Ｎｐｅｒｉｏｄ，ｉｎｔｒａ＝４０ｍｓ、
Ｎｉｎｔｒａは、受信したＭＢＭＳサービスに対する復調性能要求の満足を前提として、決定された使用できる同周波数測定時間で、受信できる目標異周波数ＴＤＤセルのＰＣＣＰＣＨとＤｗＰＣＨの信号があるサブフレーム数であることを特徴とする請求項９に記載の方法。
【請求項３０】
前記ユーザ端末が、受信したブロードキャストマルチキャスト情報に対する復調性能要求に満足できる測定時間、又は受信したブロードキャストマルチキャスト情報に対する復調性能要求に満足できる測定時間から受信機変換時間を引いた時間に基づいて、異システムＧＳＭセルの測定性能要求を決定することを特徴とする請求項８に記載の方法。
【請求項３１】
前記測定時間がＮＴＴＩ個フレームの一部分であり、ここで、ＮＴＴＩは、端末がモニターした、非ＭＢＭＳ論理チャネルを搭載するＳＣＣＰＣＨで最大ＴＴＩを有するＦＡＣＨのＴＴＩを１０ｍで割ったものに等しいことを特徴とする請求項１０、１２〜１９のいずれか１項、又は３０に記載の方法。
【請求項３２】
前記測定時間がＮＴＴＩ個フレームの一部分であり、マルチメディアブロードキャストマルチキャストポイントツーマルチポイントサービスチャネル（ＭＴＣＨ）のＴＴＩ長さの２５％を超えずことを特徴とする請求項３１に記載の方法。
【請求項３３】
前記受信機変換時間が受信機のハードウェア能力によって決定され、前記受信機変換時間の常用値が１ｍｓであることを特徴とする請求項１０〜２７のいずれか１項、又は３０に記載の方法。
【請求項３４】
前記ブロードキャストマルチキャスト情報が、
マルチメディアブロードキャストマルチキャストポイントツーマルチポイントサービス情報、及び／又は
マルチメディアブロードキャストマルチキャストポイントツーマルチポイント制御情報であることを特徴とする請求項８に記載の方法。
【請求項３５】
異周波数／異システムセルを識別する装置であって、
ユーザ端末（ＵＥ）の類型、セルの類型及び復調性能要求を満足する測定時間に基づいて、識別時間を決定する第１ユニットと、
システム測定制御情報を受信し、測定制御情報で指示された異周波数／異システムセルの情報を読み取って未識別の異周波数／異システムセルを発見する第２ユニットと、
前記未識別の異周波数／異システムセルを検知する第３ユニットと、
次式、即ちＳＦＮ＝（Ｃ＿ＲＮＴＩ  ｍｏｄ  Ｍ＿ＲＥＰ  ＋  ｎ×Ｍ＿ＲＥＰ）×Ｎ
を満足するシステムフレーム番号（ＳＦＮ）のフレームで異周波数／異システムセルの測定を実行し、前記第１ユニットによって決定された識別時間内に未識別の異周波数／異システムセルを識別する第４ユニットと、を含むことを特徴とする装置。
【請求項３６】
異周波数／異システムセルの測定結果を報告する装置であって、
ユーザ端末（ＵＥ）の類型、セルの類型及び復調性能要求を満足する測定時間に基づいて、報告時間を決定する第１ユニットと、
システム測定制御情報、又はシステムブロードキャスト情報を受信し、異周波数／異システムセルに対する測定をトリガーする第２ユニットと、
次式、即ちＳＦＮ＝（Ｃ＿ＲＮＴＩ  ｍｏｄ  Ｍ＿ＲＥＰ  ＋  ｎ×Ｍ＿ＲＥＰ）×Ｎ
を満足するシステムフレーム番号（ＳＦＮ）のフレームで異周波数／異システムセルの測定を実行し、前記第１ユニットによって決定された報告時間内に測定結果をＵＥの物理層から上位層に報告する第３ユニットと、を含むことを特徴とする装置。
【請求項３７】
測定性能要求を決定する装置であって、
受信したブロードキャストマルチキャスト情報に対する復調性能要求を満足する異周波数／異システムセルの測定時間を決定する第１ユニットと、
前記第１ユニットによって決定された測定時間に基づいて測定性能要求を決定する第２ユニットと、を含むことを特徴とする装置。
【手続補正３】
【補正対象書類名】明細書
【補正対象項目名】０００１
【補正方法】変更
【補正の内容】
【０００１】
本発明は第３世代移動通信システム（３Ｇ：Ｔｈｅ  ３ｒｄ  Ｇｅｎｅｒａｔｉｏｎ）における端末の異周波数／異システムの測定処理技術に関し、特にブロードキャストマルチキャスト情報を受信する端末の異周波数／異システムの測定方法、その測定性能要求の決定方法、異周波数／異システムセルの識別装置、及び測定結果の報告装置に関する。
【手続補正４】
【補正対象書類名】明細書
【補正対象項目名】００９７
【補正方法】変更
【補正の内容】
【００９７】
本発明が解決しようとする課題は、ブロードキャストマルチキャスト情報の復調性能を保証する上で、異周波数／異システムセルに対する測定を完成し、且つ測定性能要求を確保できる、ブロードキャストマルチキャスト情報を受信する端末の異周波数／異システムの測定方法及びその測定性能要求の決定方法を提供することである。
本発明ではまた、異周波数／異システムセルの識別装置、異周波数／異システムセルの測定結果を報告する装置、及び測定性能要求を決定する装置を提供している。
【手続補正５】
【補正対象書類名】明細書
【補正対象項目名】０１００
【補正方法】削除
【補正の内容】
【手続補正６】
【補正対象書類名】明細書
【補正対象項目名】０１０１
【補正方法】変更
【補正の内容】
【０１０１】
ブロードキャストマルチキャスト情報を受信する端末の測定性能要求の決定方法であって、
受信したブロードキャストマルチキャスト情報に対する復調性能要求の満足を確保する異周波数／異システムの測定時間を決定し、前記異周波数／異システムの測定時間に基づいて測定性能要求を決定する。
【手続補正７】
【補正対象書類名】明細書
【補正対象項目名】０１０２
【補正方法】削除
【補正の内容】
【手続補正８】
【補正対象書類名】明細書
【補正対象項目名】０１０３
【補正方法】削除
【補正の内容】
【手続補正９】
【補正対象書類名】明細書
【補正対象項目名】０１０４
【補正方法】削除
【補正の内容】
【手続補正１０】
【補正対象書類名】明細書
【補正対象項目名】０１０５
【補正方法】削除
【補正の内容】
【手続補正１１】
【補正対象書類名】明細書
【補正対象項目名】０１０６
【補正方法】削除
【補正の内容】
【手続補正１２】
【補正対象書類名】明細書
【補正対象項目名】０１０７
【補正方法】変更
【補正の内容】
【０１０７】
異周波数／異システムセルを識別する装置であって、
ユーザ端末（ＵＥ）の類型、セルの類型及び復調性能要求を満足する測定時間に基づいて、識別時間を決定する第１ユニットと、
システム測定制御情報を受信し、測定制御情報で指示された異周波数／異システムセルの情報を読み取って未識別の異周波数／異システムセルを発見する第２ユニットと、
前記未識別の異周波数／異システムセルを検知する第３ユニットと、
次式、即ちＳＦＮ＝（Ｃ＿ＲＮＴＩ  ｍｏｄ  Ｍ＿ＲＥＰ  ＋  ｎ×Ｍ＿ＲＥＰ）×Ｎ
を満足するシステムフレーム番号（ＳＦＮ）のフレームで異周波数／異システムセルの測定を実行し、前記第１ユニットによって決定された識別時間内に未識別の異周波数／異システムセルを識別する第４ユニットと、を含む。
異周波数／異システムセルの測定結果を報告する装置であって、
ユーザ端末（ＵＥ）の類型、セルの類型及び復調性能要求を満足する測定時間に基づいて、報告時間を決定する第１ユニットと、
システム測定制御情報、又はシステムブロードキャスト情報を受信し、異周波数／異システムセルに対する測定をトリガーする第２ユニットと、
次式、即ちＳＦＮ＝（Ｃ＿ＲＮＴＩ  ｍｏｄ  Ｍ＿ＲＥＰ  ＋  ｎ×Ｍ＿ＲＥＰ）×Ｎ
を満足するシステムフレーム番号（ＳＦＮ）のフレームで異周波数／異システムセルの測定を実行し、前記第１ユニットによって決定された報告時間内に測定結果をＵＥの物理層から上位層に報告する第３ユニットと、を含む。
測定性能要求を決定する装置であって、
受信したブロードキャストマルチキャスト情報に対する復調性能要求を満足する異周波数／異システムセルの測定時間を決定する第１ユニットと、
前記第１ユニットによって決定された測定時間に基づいて測定性能要求を決定する第２ユニットと、を含む。
【国際調査報告】
2008539616.tif 000115
2008539616.tif 000116
2008539616.tif 000117
2008539616.tif 000118